(57)【要約】  本願は、データ送信方法および装置の実施形態を提供する。データ送信方法の実施形態は、端末デバイスによって、無線アクセスネットワークデバイスによって送信された制御情報および影響を受ける符号化ブロックの指示情報を受信するステップであって、ここで、制御情報は、無線アクセスネットワークデバイスによって、端末デバイスの少なくとも1つのトランスポートブロックをスケジュールするために使用され、少なくとも1つのトランスポートブロックの各々は、少なくとも1つの符号化ブロックを含み、影響を受ける符号化ブロックは、少なくとも1つのトランスポートブロックにおける少なくとも1つの符号化ブロックである、ステップと、端末デバイスによって、影響を受ける符号化ブロックの指示情報に基づいて、影響を受ける符号化ブロックを決定するステップと、端末デバイスによって、制御情報と決定された影響を受ける符号化ブロックに基づいて、少なくとも1つのトランスポートブロックを受信するステップとを含む。
2019535190.tif 000002
【特許請求の範囲】
【請求項１】
端末デバイスであって、
無線アクセスネットワークデバイスによって送信された制御情報および影響を受ける符号化ブロックの指示情報を受信するように構成される受信ユニットであって、前記制御情報は、前記無線アクセスネットワークデバイスによって、前記端末デバイスの少なくとも1つのトランスポートブロックをスケジュールするために使用され、前記少なくとも1つのトランスポートブロックの各々は、少なくとも1つの符号化ブロックを含み、前記影響を受ける符号化ブロックは、前記少なくとも1つのトランスポートブロックにおける少なくとも1つの符号化ブロックである、受信ユニットと、
前記影響を受ける符号化ブロックの前記指示情報に基づいて、前記影響を受ける符号化ブロックを決定するように構成される処理ユニットとを含み、
前記受信ユニットは、前記制御情報と前記決定された影響を受ける符号化ブロックに基づいて、前記少なくとも1つのトランスポートブロックを受信するようにさらに構成される、端末デバイス。
【請求項２】
前記影響を受ける符号化ブロックの前記指示情報は、前記影響を受ける符号化ブロックの識別子情報または前記影響を受ける符号化ブロックに対応するリソースの識別子情報を含む、請求項1に記載の端末デバイス。
【請求項３】
前記影響を受ける符号化ブロックの前記識別子情報は、
前記影響を受ける符号化ブロックのインデックス、または、
前記影響を受ける符号化ブロックのグループインデックス、または、
第1の符号化ブロックのインデックスであって、前記影響を受ける符号化ブロックは、シーケンス内の前記第1の符号化ブロックの前または後の符号化ブロックを含み、または、前記影響を受ける符号化ブロックは、前記第1の符号化ブロックおよびシーケンス内の前記第1の符号化ブロックの前または後の符号化ブロックを含む、第1の符号化ブロックのインデックス、または、
第1の符号化ブロックグループのインデックスであって、前記影響を受ける符号化ブロックは、シーケンス内の前記第1の符号化ブロックグループの前または後の符号化ブロックを含み、または、前記影響を受ける符号化ブロックは、前記第1の符号化ブロックグループおよびシーケンス内の前記第1の符号化ブロックグループの前または後の符号化ブロックを含む、第1の符号化ブロックグループのインデックスを含む、請求項2に記載の端末デバイス。
【請求項４】
前記影響を受ける符号化ブロックに対応する前記リソースの前記識別子情報は、
前記影響を受ける符号化ブロックに対応する前記リソースのインデックス、または、
前記影響を受ける符号化ブロックに対応する前記リソースのグループインデックス、または、
第1の符号化ブロックに対応するリソースのインデックスであって、前記影響を受ける符号化ブロックは、シーケンス内の前記第1の符号化ブロックの前または後の符号化ブロックを含み、または、前記影響を受ける符号化ブロックは、前記第1の符号化ブロックおよびシーケンス内の前記第1の符号化ブロックの前または後の符号化ブロックを含む、第1の符号化ブロックに対応するリソースのインデックス、または、
第1の符号化ブロックに対応するリソースグループのインデックスであって、前記影響を受ける符号化ブロックは、シーケンス内の前記第1の符号化ブロックグループの前または後の符号化ブロックを含み、または、前記影響を受ける符号化ブロックは、前記第1の符号化ブロックグループおよびシーケンス内の前記第1の符号化ブロックグループの前または後の符号化ブロックを含む、第1の符号化ブロックに対応するリソースグループのインデックスを含む、請求項2に記載の端末デバイス。
【請求項５】
前記少なくとも1つのトランスポートブロックがHARQ再送信におけるトランスポートブロックである場合、前記制御情報は、前記影響を受ける符号化ブロックの前記指示情報を搬送し、または、前記少なくとも1つのトランスポートブロックが初期HARQ送信におけるトランスポートブロックである場合、前記制御情報は、前記影響を受ける符号化ブロックの前記指示情報を搬送しない、請求項1乃至4のいずれか1項に記載の端末デバイス。
【請求項６】
前記少なくとも1つのトランスポートブロックはHARQ再送信における前記トランスポートブロックであり、前記影響を受ける符号化ブロックの前記指示情報は、前記制御情報内の変調および符号化指示フィールドにおいて搬送される、請求項1乃至5のいずれか1項に記載の端末デバイス。
【請求項７】
前記少なくとも1つのトランスポートブロックがHARQ再送信における前記トランスポートブロックである場合、前記受信ユニットは、前記少なくとも1つのトランスポートブロックを受信し、前記影響を受ける符号化ブロックに対応するデータに対してHARQコンバイニングの実行をスキップするように構成される、請求項1乃至6のいずれか1項に記載の端末デバイス。
【請求項８】
前記無線アクセスネットワークデバイスに第1の指示情報を送信するように構成される送信ユニットであって、前記第1の指示情報は、第2の符号化ブロックが正しく受信されたかどうかを示し、前記第2の符号化ブロックは、前記少なくとも1つの符号化ブロックにおける前記影響を受ける符号化ブロック以外の符号化ブロックであり、前記第1の指示情報に含まれるビット数は、第2の符号化ブロックの数未満である、送信ユニットをさらに含む、請求項1乃至7のいずれか1項に記載の端末デバイス。
【請求項９】
無線アクセスネットワークデバイスであって、
制御情報および影響を受ける符号化ブロックの指示情報を端末デバイスに送信するように構成される送信ユニットであって、前記制御情報は、前記無線アクセスネットワークデバイスによって、前記端末デバイスの少なくとも1つのトランスポートブロックをスケジュールするために使用され、前記少なくとも1つのトランスポートブロックの各々は、少なくとも1つの符号化ブロックを含み、前記影響を受ける符号化ブロックは、前記少なくとも1つのトランスポートブロックにおける少なくとも1つの符号化ブロックである、送信ユニットを含み、
前記送信ユニットは、前記少なくとも1つのトランスポートブロックにおける前記影響を受ける符号化ブロック以外の少なくとも1つの符号化ブロックを前記端末デバイスに送信するようにさらに構成される、無線アクセスネットワークデバイス。
【請求項１０】
前記影響を受ける符号化ブロックの前記指示情報は、前記影響を受ける符号化ブロックの識別子情報または前記影響を受ける符号化ブロックに対応するリソースの識別子情報を含む、請求項9に記載の無線アクセスネットワークデバイス。
【請求項１１】
前記影響を受ける符号化ブロックの前記識別子情報は、
前記影響を受ける符号化ブロックのインデックス、または、
前記影響を受ける符号化ブロックのグループインデックス、または、
第1の符号化ブロックのインデックスであって、前記影響を受ける符号化ブロックは、シーケンス内の前記第1の符号化ブロックの前または後の符号化ブロックを含み、または、前記影響を受ける符号化ブロックは、前記第1の符号化ブロックおよびシーケンス内の前記第1の符号化ブロックの前または後の符号化ブロックを含む、第1の符号化ブロックのインデックス、または、
第1の符号化ブロックグループのインデックスであって、前記影響を受ける符号化ブロックは、シーケンス内の前記第1の符号化ブロックグループの前または後の符号化ブロックを含み、または、前記影響を受ける符号化ブロックは、前記第1の符号化ブロックグループおよびシーケンス内の前記第1の符号化ブロックグループの前または後の符号化ブロックを含む、第1の符号化ブロックグループのインデックスを含む、請求項10に記載の無線アクセスネットワークデバイス。
【請求項１２】
前記影響を受ける符号化ブロックに対応する前記リソースの前記識別子情報は、
前記影響を受ける符号化ブロックに対応する前記リソースのインデックス、または、
前記影響を受ける符号化ブロックに対応する前記リソースのグループインデックス、または、
第1の符号化ブロックに対応するリソースのインデックスであって、前記影響を受ける符号化ブロックは、シーケンス内の前記第1の符号化ブロックの前または後の符号化ブロックを含み、または、前記影響を受ける符号化ブロックは、前記第1の符号化ブロックおよびシーケンス内の前記第1の符号化ブロックの前または後の符号化ブロックを含む、第1の符号化ブロックに対応するリソースのインデックス、または、
第1の符号化ブロックに対応するリソースグループのインデックスであって、前記影響を受ける符号化ブロックは、シーケンス内の前記第1の符号化ブロックグループの前または後の符号化ブロックを含み、または、前記影響を受ける符号化ブロックは、前記第1の符号化ブロックグループおよびシーケンス内の前記第1の符号化ブロックグループの前または後の符号化ブロックを含む、第1の符号化ブロックに対応するリソースグループのインデックスを含む、請求項10に記載の無線アクセスネットワークデバイス。
【請求項１３】
前記少なくとも1つのトランスポートブロックがHARQ再送信におけるトランスポートブロックである場合、前記制御情報は、前記影響を受ける符号化ブロックの前記指示情報を搬送し、または、前記少なくとも1つのトランスポートブロックが初期HARQ送信におけるトランスポートブロックである場合、前記制御情報は、前記影響を受ける符号化ブロックの前記指示情報を搬送しない、請求項9乃至12のいずれか1項に記載の無線アクセスネットワークデバイス。
【請求項１４】
前記少なくとも1つのトランスポートブロックはHARQ再送信における前記トランスポートブロックであり、前記影響を受ける符号化ブロックの前記指示情報は、前記制御情報内の変調および符号化指示フィールドにおいて搬送される、請求項9乃至13のいずれか1項に記載の無線アクセスネットワークデバイス。
【請求項１５】
前記端末デバイスから送信された第1の指示情報を受信するように構成される受信ユニットであって、前記第1の指示情報は、第2の符号化ブロックが正しく受信されたかどうかを示し、前記第2の符号化ブロックは、前記少なくとも1つの符号化ブロックにおける前記影響を受ける符号化ブロック以外の符号化ブロックであり、前記第1の指示情報に含まれるビット数は、第2の符号化ブロックの数未満である、受信ユニットをさらに含む、請求項9乃至14のいずれか1項に記載の無線アクセスネットワークデバイス。
【請求項１６】
データ送信方法であって、
端末デバイスによって、無線アクセスネットワークデバイスによって送信された制御情報および影響を受ける符号化ブロックの指示情報を受信するステップであって、前記制御情報は、前記無線アクセスネットワークデバイスによって、前記端末デバイスの少なくとも1つのトランスポートブロックをスケジュールするために使用され、前記少なくとも1つのトランスポートブロックの各々は、少なくとも1つの符号化ブロックを含み、前記影響を受ける符号化ブロックは、前記少なくとも1つのトランスポートブロックにおける少なくとも1つの符号化ブロックである、ステップと、
前記端末デバイスによって、前記影響を受ける符号化ブロックの前記指示情報に基づいて、前記影響を受ける符号化ブロックを決定するステップと、
前記端末デバイスによって、前記制御情報と前記決定された影響を受ける符号化ブロックに基づいて、前記少なくとも1つのトランスポートブロックを受信するステップとを含む、方法。
【請求項１７】
前記影響を受ける符号化ブロックの前記指示情報は、前記影響を受ける符号化ブロックの識別子情報または前記影響を受ける符号化ブロックに対応するリソースの識別子情報を含む、請求項16に記載の方法。
【請求項１８】
前記影響を受ける符号化ブロックの前記識別子情報は、
前記影響を受ける符号化ブロックのインデックス、または、
前記影響を受ける符号化ブロックのグループインデックス、または、
第1の符号化ブロックのインデックスであって、前記影響を受ける符号化ブロックは、シーケンス内の前記第1の符号化ブロックの前または後の符号化ブロックを含み、または、前記影響を受ける符号化ブロックは、前記第1の符号化ブロックおよびシーケンス内の前記第1の符号化ブロックの前または後の符号化ブロックを含む、第1の符号化ブロックのインデックス、または、
第1の符号化ブロックグループのインデックスであって、前記影響を受ける符号化ブロックは、シーケンス内の前記第1の符号化ブロックグループの前または後の符号化ブロックを含み、または、前記影響を受ける符号化ブロックは、前記第1の符号化ブロックグループおよびシーケンス内の前記第1の符号化ブロックグループの前または後の符号化ブロックを含む、第1の符号化ブロックグループのインデックスを含む、請求項17に記載の方法。
【請求項１９】
前記影響を受ける符号化ブロックに対応する前記リソースの前記識別子情報は、
前記影響を受ける符号化ブロックに対応する前記リソースのインデックス、または、
前記影響を受ける符号化ブロックに対応する前記リソースのグループインデックス、または、
第1の符号化ブロックに対応するリソースのインデックスであって、前記影響を受ける符号化ブロックは、シーケンス内の前記第1の符号化ブロックの前または後の符号化ブロックを含み、または、前記影響を受ける符号化ブロックは、前記第1の符号化ブロックおよびシーケンス内の前記第1の符号化ブロックの前または後の符号化ブロックを含む、第1の符号化ブロックに対応するリソースのインデックス、または、
第1の符号化ブロックに対応するリソースグループのインデックスであって、前記影響を受ける符号化ブロックは、シーケンス内の前記第1の符号化ブロックグループの前または後の符号化ブロックを含み、または、前記影響を受ける符号化ブロックは、前記第1の符号化ブロックグループおよびシーケンス内の前記第1の符号化ブロックグループの前または後の符号化ブロックを含む、第1の符号化ブロックに対応するリソースグループのインデックスを含む、請求項17に記載の方法。
【請求項２０】
前記少なくとも1つのトランスポートブロックがHARQ再送信におけるトランスポートブロックである場合、前記制御情報は、前記影響を受ける符号化ブロックの前記指示情報を搬送し、または、前記少なくとも1つのトランスポートブロックが初期HARQ送信におけるトランスポートブロックである場合、前記制御情報は、前記影響を受ける符号化ブロックの前記指示情報を搬送しない、請求項16乃至19のいずれか1項に記載の方法。
【請求項２１】
前記少なくとも1つのトランスポートブロックはHARQ再送信における前記トランスポートブロックであり、前記影響を受ける符号化ブロックの前記指示情報は、前記制御情報内の変調および符号化指示フィールドにおいて搬送される、請求項16乃至20のいずれか1項に記載の方法。
【請求項２２】
前記端末デバイスによって、前記制御情報と前記決定された影響を受ける符号化ブロックに基づいて、前記少なくとも1つのトランスポートブロックを受信する前記ステップは、
前記少なくとも1つのトランスポートブロックがHARQ再送信における前記トランスポートブロックである場合、前記端末デバイスによって、前記影響を受ける符号化ブロックに対応するデータに対してHARQコンバイニングの実行をスキップするステップを含む、請求項16乃至21のいずれか1項に記載の方法。
【請求項２３】
前記端末デバイスによって、前記無線アクセスネットワークデバイスに第1の指示情報を送信するステップであって、前記第1の指示情報は、第2の符号化ブロックが正しく受信されたかどうかを示し、前記第2の符号化ブロックは、前記少なくとも1つの符号化ブロックにおける前記影響を受ける符号化ブロック以外の符号化ブロックであり、前記第1の指示情報に含まれるビット数は、第2の符号化ブロックの数未満である、ステップをさらに含む、請求項16乃至22のいずれか1項に記載の方法。
【請求項２４】
データ送信方法であって、前記方法は、
無線アクセスネットワークデバイスによって、制御情報および影響を受ける符号化ブロックの指示情報を端末デバイスに送信するステップであって、前記制御情報は、前記無線アクセスネットワークデバイスによって、前記端末デバイスの少なくとも1つのトランスポートブロックをスケジュールするために使用され、前記少なくとも1つのトランスポートブロックの各々は、少なくとも1つの符号化ブロックを含み、前記影響を受ける符号化ブロックは、前記少なくとも1つのトランスポートブロックにおける少なくとも1つの符号化ブロックである、ステップと、
前記無線アクセスネットワークデバイスによって、前記少なくとも1つのトランスポートブロックにおける前記影響を受ける符号化ブロック以外の少なくとも1つの符号化ブロックを前記端末デバイスに送信するステップとを含む、方法。
【請求項２５】
前記影響を受ける符号化ブロックの前記指示情報は、前記影響を受ける符号化ブロックの識別子情報または前記影響を受ける符号化ブロックに対応するリソースの識別子情報を含む、請求項24に記載の方法。
【請求項２６】
前記影響を受ける符号化ブロックの前記識別子情報は、
前記影響を受ける符号化ブロックのインデックス、または、
前記影響を受ける符号化ブロックのグループインデックス、または、
第1の符号化ブロックのインデックスであって、前記影響を受ける符号化ブロックは、シーケンス内の前記第1の符号化ブロックの前または後の符号化ブロックを含み、または、前記影響を受ける符号化ブロックは、前記第1の符号化ブロックおよびシーケンス内の前記第1の符号化ブロックの前または後の符号化ブロックを含む、第1の符号化ブロックのインデックス、または、
第1の符号化ブロックグループのインデックスであって、前記影響を受ける符号化ブロックは、シーケンス内の前記第1の符号化ブロックグループの前または後の符号化ブロックを含み、または、前記影響を受ける符号化ブロックは、前記第1の符号化ブロックグループおよびシーケンス内の前記第1の符号化ブロックグループの前または後の符号化ブロックを含む、第1の符号化ブロックグループのインデックスを含む、請求項25に記載の方法。
【請求項２７】
前記影響を受ける符号化ブロックに対応する前記リソースの前記識別子情報は、
前記影響を受ける符号化ブロックに対応する前記リソースのインデックス、または、
前記影響を受ける符号化ブロックに対応する前記リソースのグループインデックス、または、
第1の符号化ブロックに対応するリソースのインデックスであって、前記影響を受ける符号化ブロックは、シーケンス内の前記第1の符号化ブロックの前または後の符号化ブロックを含み、または、前記影響を受ける符号化ブロックは、前記第1の符号化ブロックおよびシーケンス内の前記第1の符号化ブロックの前または後の符号化ブロックを含む、第1の符号化ブロックに対応するリソースのインデックス、または、
第1の符号化ブロックに対応するリソースグループのインデックスであって、前記影響を受ける符号化ブロックは、シーケンス内の前記第1の符号化ブロックグループの前または後の符号化ブロックを含み、または、前記影響を受ける符号化ブロックは、前記第1の符号化ブロックグループおよびシーケンス内の前記第1の符号化ブロックグループの前または後の符号化ブロックを含む、第1の符号化ブロックに対応するリソースグループのインデックスを含む、請求項25に記載の方法。
【請求項２８】
前記少なくとも1つのトランスポートブロックがHARQ再送信におけるトランスポートブロックである場合、前記制御情報は、前記影響を受ける符号化ブロックの前記指示情報を搬送し、または、前記少なくとも1つのトランスポートブロックが初期HARQ送信におけるトランスポートブロックである場合、前記制御情報は、前記影響を受ける符号化ブロックの前記指示情報を搬送しない、請求項24乃至27のいずれか1項に記載の方法。
【請求項２９】
前記少なくとも1つのトランスポートブロックはHARQ再送信における前記トランスポートブロックであり、前記影響を受ける符号化ブロックの前記指示情報は、前記制御情報内の変調および符号化指示フィールドにおいて搬送される、請求項24乃至28のいずれか1項に記載の方法。
【請求項３０】
前記無線アクセスネットワークデバイスによって、前記端末デバイスから送信された第1の指示情報を受信するステップであって、前記第1の指示情報は、第2の符号化ブロックが正しく受信されたかどうかを示し、前記第2の符号化ブロックは、前記少なくとも1つの符号化ブロックにおける前記影響を受ける符号化ブロック以外の符号化ブロックであり、前記第1の指示情報に含まれるビット数は、第2の符号化ブロックの数未満である、ステップをさらに含む、請求項24乃至29のいずれか1項に記載の方法。
【請求項３１】
端末デバイスであって、
無線アクセスネットワークデバイスによって送信された制御情報および影響を受ける符号化ブロックの指示情報を受信するように構成され、前記制御情報は、前記無線アクセスネットワークデバイスによって、前記端末デバイスの少なくとも1つのトランスポートブロックをスケジュールするために使用され、前記少なくとも1つのトランスポートブロックの各々は、少なくとも1つの符号化ブロックを含み、前記影響を受ける符号化ブロックは、前記少なくとも1つのトランスポートブロックにおける少なくとも1つの符号化ブロックであり、前記制御情報に基づいて、前記少なくとも1つのトランスポートブロックを受信するように構成される受信ユニットと、
前記影響を受ける符号化ブロックの前記指示情報に基づいて、前記影響を受ける符号化ブロックを決定し、第1の指示情報を決定するように構成される処理ユニットであって、前記第1の指示情報は、第2の符号化ブロックが正しく受信されたかどうかを示し、前記第2の符号化ブロックは、前記少なくとも1つの符号化ブロックにおける前記影響を受ける符号化ブロック以外の符号化ブロックであり、前記第1の指示情報に含まれるビット数は、第2の符号化ブロックの数未満である、処理ユニットと、
前記第1の指示情報を前記無線アクセスネットワークデバイスに送信するように構成される送信ユニットとを含む、端末デバイス。
【請求項３２】
前記第1の指示情報内の前記ビット数は1であり、前記処理ユニットは、前記第2の符号化ブロックの全てが正しく受信されたかどうかを判定するように構成され、前記第2の符号化ブロックの全てが正しく受信されている場合、前記第1の指示情報は確認応答ビットであり、または、少なくとも1つの第2の符号化ブロックが正しく受信されていない場合、前記第1の指示情報は否定応答ビットである、請求項31に記載の端末デバイス。
【請求項３３】
前記処理ユニットは、第2の指示情報を決定するようにさらに構成され、前記第2の指示情報は、前記影響を受ける符号化ブロックが正しく受信されたかどうかを示すために使用され、前記送信ユニットは、前記第2の指示情報を前記無線アクセスネットワークデバイスに送信するようにさらに構成される、請求項31または32に記載の端末デバイス。
【請求項３４】
前記第2の指示情報内のビット数は1であり、前記処理ユニットは、前記影響を受ける符号化ブロックの全てが正しく受信されたかどうかを判定するように構成され、前記影響を受ける符号化ブロックの全てが正しく受信されている場合、前記第2の指示情報は確認応答ビットであり、または、少なくとも1つの影響を受ける符号化ブロックが正しく受信されていない場合、前記第2の指示情報は否定応答ビットである、請求項33に記載の端末デバイス。
【請求項３５】
前記端末デバイスは、前記無線アクセスネットワークデバイスに、前記影響を受ける符号化ブロックが正しく受信されたかどうかについての指示情報を送信しない、請求項31または32に記載の端末デバイス。
【請求項３６】
前記影響を受ける符号化ブロックの前記指示情報は、前記影響を受ける符号化ブロックの識別子情報または前記影響を受ける符号化ブロックに対応するリソースの識別子情報を含む、請求項31乃至35のいずれか1項に記載の端末デバイス。
【請求項３７】
無線アクセスネットワークデバイスであって、
制御情報および影響を受ける符号化ブロックの指示情報を端末デバイスに送信するように構成され、前記制御情報は、前記無線アクセスネットワークデバイスによって、前記端末デバイスの少なくとも1つのトランスポートブロックをスケジュールするために使用され、前記少なくとも1つのトランスポートブロックの各々は、少なくとも1つの符号化ブロックを含み、前記影響を受ける符号化ブロックは、前記少なくとも1つのトランスポートブロックにおける少なくとも1つの符号化ブロックであり、前記少なくとも1つのトランスポートブロックにおける前記影響を受ける符号化ブロック以外の少なくとも1つの符号化ブロックを前記端末デバイスに送信するように構成される送信ユニットと、
前記端末デバイスによって送信された第1の指示情報を受信するように構成される受信ユニットであって、前記第1の指示情報は、第2の符号化ブロックが正しく受信されたかどうかを示し、前記第2の符号化ブロックは、前記少なくとも1つの符号化ブロックにおける前記影響を受ける符号化ブロック以外の符号化ブロックであり、前記第1の指示情報に含まれるビット数は、第2の符号化ブロックの数未満である、受信ユニットとを含む、無線アクセスネットワークデバイス。
【請求項３８】
前記第1の指示情報内の前記ビット数は1である、請求項37に記載の無線アクセスネットワークデバイス。
【請求項３９】
前記受信ユニットは、前記端末デバイスによって送信された第2の指示情報を受信するようにさらに構成され、前記第2の指示情報は、前記影響を受ける符号化ブロックが正しく受信されたかどうかを示し、前記第2の指示情報に含まれるビット数は、影響を受ける符号化ブロックの数未満である、請求項37または38に記載の無線アクセスネットワークデバイス。
【請求項４０】
前記第2の指示情報内の前記ビット数は1である、請求項39に記載の無線アクセスネットワークデバイス。
【請求項４１】
前記無線アクセスネットワークデバイスは第2の指示情報を受信せず、前記第2の指示情報は、前記影響を受ける符号化ブロックが正しく受信されたかどうかを示すために使用される、請求項37または38に記載の無線アクセスネットワークデバイス。
【請求項４２】
前記影響を受ける符号化ブロックの前記指示情報は、前記影響を受ける符号化ブロックの識別子情報または前記影響を受ける符号化ブロックに対応するリソースの識別子情報を含む、請求項37乃至41のいずれか1項に記載の無線アクセスネットワークデバイス。
【請求項４３】
データ送信方法であって、
端末デバイスによって、無線アクセスネットワークデバイスによって送信された制御情報および影響を受ける符号化ブロックの指示情報を受信するステップであって、前記制御情報は、前記無線アクセスネットワークデバイスによって、前記端末デバイスの少なくとも1つのトランスポートブロックをスケジュールするために使用され、前記少なくとも1つのトランスポートブロックの各々は、少なくとも1つの符号化ブロックを含み、前記影響を受ける符号化ブロックは、前記少なくとも1つのトランスポートブロックにおける少なくとも1つの符号化ブロックである、ステップと、
前記端末デバイスによって、前記制御情報に基づいて、前記少なくとも1つのトランスポートブロックを受信するステップと、
前記端末デバイスによって、前記影響を受ける符号化ブロックの前記指示情報に基づいて、前記影響を受ける符号化ブロックを決定するステップと、
前記端末デバイスによって、第1の指示情報を前記無線アクセスネットワークデバイスに送信するステップであって、前記第1の指示情報は、第2の符号化ブロックが正しく受信されたかどうかを示し、前記第2の符号化ブロックは、前記少なくとも1つの符号化ブロックにおける前記影響を受ける符号化ブロック以外の符号化ブロックであり、前記第1の指示情報に含まれるビット数は、第2の符号化ブロックの数未満である、ステップとを含む方法。
【請求項４４】
前記第1の指示情報内の前記ビット数は1であり、前記端末デバイスによって、第1の指示情報を前記無線アクセスネットワークデバイスに送信する前記ステップは、
前記第2の符号化ブロックの全てが正しく受信された場合、前記端末デバイスによって、確認応答ビットを前記無線アクセスネットワークデバイスに送信し、または、少なくとも1つの第2の符号化ブロックが正しく受信されていない場合、前記端末デバイスによって、否定応答ビットを前記無線アクセスネットワークデバイスに送信するステップを含む、請求項43に記載の方法。
【請求項４５】
前記端末デバイスによって、第2の指示情報を前記無線アクセスネットワークデバイスに送信するステップであって、前記第2の指示情報は、前記影響を受ける符号化ブロックが正しく受信されたかどうかを示すために使用される、ステップをさらに含む、請求項43または44に記載の方法。
【請求項４６】
前記第2の指示情報内のビット数は1であり、前記端末デバイスによって、第2の指示情報を前記無線アクセスネットワークデバイスに送信する前記ステップは、
前記影響を受ける符号化ブロックの全てが正しく受信された場合、前記端末デバイスによって、確認応答ビットを前記無線アクセスネットワークデバイスに送信し、または、少なくとも1つの影響を受ける符号化ブロックが正しく受信されていない場合、前記端末デバイスによって、否定応答ビットを前記無線アクセスネットワークデバイスに送信するステップを含む、請求項45に記載の方法。
【請求項４７】
前記端末デバイスは、前記無線アクセスネットワークデバイスに、前記影響を受ける符号化ブロックが正しく受信されたかどうかについての指示情報を送信しない、請求項43または44に記載の方法。
【請求項４８】
前記影響を受ける符号化ブロックの前記指示情報は、前記影響を受ける符号化ブロックの識別子情報または前記影響を受ける符号化ブロックに対応するリソースの識別子情報を含む、請求項43乃至47のいずれか1項に記載の方法。
【請求項４９】
データ送信方法であって、
無線アクセスネットワークデバイスによって、制御情報および影響を受ける符号化ブロックの指示情報を端末デバイスに送信するステップであって、前記制御情報は、前記無線アクセスネットワークデバイスによって、前記端末デバイスの少なくとも1つのトランスポートブロックをスケジュールするために使用され、前記少なくとも1つのトランスポートブロックの各々は、少なくとも1つの符号化ブロックを含み、前記影響を受ける符号化ブロックは、前記少なくとも1つのトランスポートブロックにおける少なくとも1つの符号化ブロックである、ステップと、
前記無線アクセスネットワークデバイスによって、前記少なくとも1つのトランスポートブロックにおける前記影響を受ける符号化ブロック以外の少なくとも1つの符号化ブロックを前記端末デバイスに送信するステップと、
前記無線アクセスネットワークデバイスによって、前記端末デバイスによって送信された第1の指示情報を受信するステップであって、前記第1の指示情報は、第2の符号化ブロックが正しく受信されたかどうかを示し、前記第2の符号化ブロックは、前記少なくとも1つの符号化ブロックにおける前記影響を受ける符号化ブロック以外の符号化ブロックであり、前記第1の指示情報に含まれるビット数は、第2の符号化ブロックの数未満である、ステップとを含む方法。
【請求項５０】
前記第1の指示情報内の前記ビット数は1である、請求項49に記載の方法。
【請求項５１】
前記方法は、前記無線アクセスネットワークデバイスによって、前記端末デバイスによって送信された第2の指示情報を受信するステップであって、前記第2の指示情報は、前記影響を受ける符号化ブロックが正しく受信されたかどうかを示し、前記第2の指示情報に含まれるビット数は、影響を受ける符号化ブロックの数未満である、ステップをさらに含む、請求項49または50に記載の方法。
【請求項５２】
前記第2の指示情報内の前記ビット数は1である、請求項51に記載の方法。
【請求項５３】
前記無線アクセスネットワークデバイスは第2の指示情報を受信せず、前記第2の指示情報は、前記影響を受ける符号化ブロックが正しく受信されたかどうかを示すために使用される、請求項49または50に記載の方法。
【請求項５４】
前記影響を受ける符号化ブロックの前記指示情報は、前記影響を受ける符号化ブロックの識別子情報または前記影響を受ける符号化ブロックに対応するリソースの識別子情報を含む、請求項49乃至53のいずれか1項に記載の方法。
【請求項５５】
データ送信方法であって、
無線アクセスネットワークデバイスによって、トランスポートブロックを端末デバイスに送信するステップであって、前記トランスポートブロックは少なくとも2つの符号化ブロックを含む、ステップと、
前記無線アクセスネットワークデバイスによって、前記トランスポートブロック内の部分符号化ブロックを前記端末デバイスに送信するステップと、
前記無線アクセスネットワークデバイスによって、前記トランスポートブロックに関して前記端末デバイスによって送信された確認応答または否定応答情報を受信するステップであって、前記確認応答情報は、前記端末デバイスが前記トランスポートブロック内の前記符号化ブロックの全てを正しく受信したことを示すために使用される、ステップとを含む方法。
【請求項５６】
前記無線アクセスネットワークデバイスによって、第1のスケジューリング情報を前記端末デバイスに送信するステップであって、前記第1のスケジューリング情報は、前記部分符号化ブロックの送信情報を前記端末デバイスに示すために使用され、前記部分符号化ブロックの前記送信情報は、前記送信が前記部分符号化ブロックの送信であるかどうか、および/または、前記部分符号化ブロックのインデックスを含む、ステップをさらに含む、請求項55に記載の方法。
【請求項５７】
前記第1のスケジューリング情報は、前記部分符号化ブロックをスケジュールするために使用される制御情報において搬送される、請求項56に記載の方法。
【請求項５８】
前記第1のスケジューリング情報は、MCSフィールド内の全てまたはいくつかの状態によって示される、請求項56に記載の方法。
【請求項５９】
前記部分符号化ブロックは影響を受ける符号化ブロックを含む、請求項55乃至58のいずれか1項に記載の方法。
【請求項６０】
前記制御情報は、前記影響を受ける符号化ブロックの指示情報をさらに含む、請求項56乃至59のいずれか1項に記載の方法。
【請求項６１】
前記影響を受ける符号化ブロックの前記指示情報は、前記影響を受ける符号化ブロックの識別子情報を含む、請求項60に記載の方法。
【請求項６２】
前記影響を受ける符号化ブロックの前記識別子情報は、前記影響を受ける符号化ブロックのグループインデックスを含む、請求項61に記載の方法。
【請求項６３】
前記無線アクセスネットワークデバイスが前記トランスポートブロックを前記端末デバイスに送信するときに使用されるHARQプロセス番号は、前記無線アクセスネットワークデバイスが前記トランスポートブロック内の前記部分符号化ブロックを前記端末デバイスに送信するときに使用されるHARQプロセス番号と同じである、請求項55乃至62のいずれか1項に記載の方法。
【請求項６４】
データ送信方法であって、
端末デバイスによって、無線アクセスネットワークデバイスからトランスポートブロックを受信するステップであって、前記トランスポートブロックは少なくとも2つの符号化ブロックを含む、ステップと、
前記端末デバイスによって、前記無線アクセスネットワークデバイスから、前記トランスポートブロック内の部分符号化ブロックを受信するステップと、
前記端末デバイスによって、前記トランスポートブロックに関する確認応答または否定応答情報を前記無線アクセスネットワークデバイスに送信するステップであって、前記確認応答情報は、前記端末デバイスが前記トランスポートブロック内の前記符号化ブロックの全てを正しく受信したことを示すために使用される、ステップとを含む方法。
【請求項６５】
前記端末デバイスは、前記無線アクセスネットワークデバイスから第1のスケジューリング情報を受信し、前記端末デバイスは、前記第1のスケジューリング情報に基づいて、前記部分符号化ブロックの送信情報を決定し、前記部分符号化ブロックの前記送信情報は、前記送信が前記部分符号化ブロックの送信であるかどうか、および/または、前記部分符号化ブロックのインデックスを含む、請求項64に記載の方法。
【請求項６６】
前記第1のスケジューリング情報は、前記部分符号化ブロックをスケジュールするために使用される制御情報において搬送される、請求項65に記載の方法。
【請求項６７】
前記第1のスケジューリング情報は、MCSフィールド内の全てまたはいくつかの状態によって示される、請求項65に記載の方法。
【請求項６８】
前記部分符号化ブロックは影響を受ける符号化ブロックを含む、請求項64乃至67のいずれか1項に記載の方法。
【請求項６９】
前記制御情報は、前記影響を受ける符号化ブロックの指示情報をさらに含む、請求項65乃至68のいずれか1項に記載の方法。
【請求項７０】
前記影響を受ける符号化ブロックの前記指示情報は、前記影響を受ける符号化ブロックの識別子情報を含む、請求項69に記載の方法。
【請求項７１】
前記影響を受ける符号化ブロックの前記識別子情報は、前記影響を受ける符号化ブロックのグループインデックスを含む、請求項70に記載の方法。
【請求項７２】
前記端末デバイスが前記無線アクセスネットワークデバイスから前記トランスポートブロックを受信するときに使用されるHARQプロセス番号は、前記端末デバイスが前記無線アクセスネットワークデバイスから前記トランスポートブロック内の前記部分符号化ブロックを受信するときに使用されるHARQプロセス番号と同じである、請求項64乃至71のいずれか1項に記載の方法。
【請求項７３】
無線アクセスネットワークデバイスであって、
トランスポートブロックを端末デバイスに送信するように構成される送信モジュールであって、前記トランスポートブロックは少なくとも2つの符号化ブロックを含む、送信モジュールと、
前記トランスポートブロックに関して前記端末デバイスによって送信された否定応答情報を受信するように構成される受信モジュールであって、前記否定応答情報は、前記端末デバイスが前記トランスポートブロックを正しく受信しなかったことを示すために使用される、受信モジュールとを含み、
前記送信モジュールは、前記トランスポートブロック内の部分符号化ブロックを前記端末デバイスに送信するようにさらに構成され、
前記受信モジュールは、前記トランスポートブロックに関して前記端末デバイスによって送信された確認応答または否定応答情報を受信するようにさらに構成され、前記確認応答情報は、前記端末デバイスが前記トランスポートブロック内の前記符号化ブロックの全てを正しく受信したことを示すために使用される、無線アクセスネットワークデバイス。
【請求項７４】
前記送信モジュールは、第1のスケジューリング情報を前記端末デバイスに送信するようにさらに構成され、前記第1のスケジューリング情報は、前記部分符号化ブロックの送信情報を前記端末デバイスに示すために使用され、前記部分符号化ブロックの前記送信情報は、前記送信が前記部分符号化ブロックの送信であるかどうか、および/または、前記部分符号化ブロックのインデックスを含む、請求項73に記載の無線アクセスネットワークデバイス。
【請求項７５】
前記第1のスケジューリング情報は、前記部分符号化ブロックをスケジュールするために使用される制御情報において搬送される、請求項74に記載の無線アクセスネットワークデバイス。
【請求項７６】
前記第1のスケジューリング情報は、MCSフィールド内の全てまたはいくつかの状態によって示される、請求項74に記載の無線アクセスネットワークデバイス。
【請求項７７】
前記部分符号化ブロックは影響を受ける符号化ブロックを含む、請求項73乃至76のいずれか1項に記載の無線アクセスネットワークデバイス。
【請求項７８】
前記制御情報は、前記影響を受ける符号化ブロックの指示情報をさらに含む、請求項74乃至77のいずれか1項に記載の無線アクセスネットワークデバイス。
【請求項７９】
前記影響を受ける符号化ブロックの前記指示情報は、前記影響を受ける符号化ブロックの識別子情報を含む、請求項78に記載の無線アクセスネットワークデバイス。
【請求項８０】
前記影響を受ける符号化ブロックの前記識別子情報は、前記影響を受ける符号化ブロックのグループインデックスを含む、請求項79に記載の無線アクセスネットワークデバイス。
【請求項８１】
前記無線アクセスネットワークデバイスが前記トランスポートブロックを前記端末デバイスに送信するときに使用されるHARQプロセス番号は、前記無線アクセスネットワークデバイスが前記トランスポートブロック内の前記部分符号化ブロックを前記端末デバイスに送信するときに使用されるHARQプロセス番号と同じである、請求項73乃至80のいずれか1項に記載の無線アクセスネットワークデバイス。
【請求項８２】
端末デバイスであって、
無線アクセスネットワークデバイスによって送信されたトランスポートブロックを受信するように構成される受信モジュールであって、前記トランスポートブロックは少なくとも2つの符号化ブロックを含む、受信モジュールと、
前記トランスポートブロックに関する否定応答情報を前記無線アクセスネットワークデバイスに送信するように構成される送信モジュールであって、前記否定応答情報は、前記端末デバイスが前記トランスポートブロックを正しく受信しなかったことを示すために使用される、送信モジュールとを含み、
前記受信モジュールは、前記無線アクセスネットワークデバイスによって送信された前記トランスポートブロック内の部分符号化ブロックを受信するようにさらに構成され、
前記送信モジュールは、前記トランスポートブロックに関する確認応答または否定応答情報を前記無線アクセスネットワークデバイスに送信するようにさらに構成され、前記確認応答情報は、前記端末デバイスが前記トランスポートブロック内の前記符号化ブロックの全てを正しく受信したことを示すために使用される、端末デバイス。
【請求項８３】
前記受信モジュールは、前記無線アクセスネットワークデバイスによって送信された第1のスケジューリング情報を受信するようにさらに構成され、前記端末デバイスは、前記第1のスケジューリング情報に基づいて、前記部分符号化ブロックの送信情報を決定し、前記部分符号化ブロックの前記送信情報は、前記送信が前記部分符号化ブロックの送信であるかどうか、および/または、前記部分符号化ブロックのインデックスを含む、請求項82に記載の端末デバイス。
【請求項８４】
前記第1のスケジューリング情報は、前記部分符号化ブロックをスケジュールするために使用される制御情報において搬送される、請求項83に記載の端末デバイス。
【請求項８５】
前記第1のスケジューリング情報は、MCSフィールド内の全てまたはいくつかの状態によって示される、請求項83に記載の端末デバイス。
【請求項８６】
前記部分符号化ブロックは影響を受ける符号化ブロックを含む、請求項82乃至85のいずれか1項に記載の端末デバイス。
【請求項８７】
前記制御情報は、前記影響を受ける符号化ブロックの指示情報をさらに含む、請求項83乃至86のいずれか1項に記載の端末デバイス。
【請求項８８】
前記影響を受ける符号化ブロックの前記指示情報は、前記影響を受ける符号化ブロックの識別子情報を含む、請求項87に記載の端末デバイス。
【請求項８９】
前記影響を受ける符号化ブロックの前記識別子情報は、前記影響を受ける符号化ブロックのグループインデックスを含む、請求項88に記載の端末デバイス。
【請求項９０】
前記端末デバイスが前記トランスポートブロックを受信するときに使用されるHARQプロセス番号、前記端末デバイスが前記無線アクセスネットワークデバイスによって送信された前記トランスポートブロックを受信するときに使用されるHARQプロセス番号は、前記無線アクセスネットワークデバイスが前記トランスポートブロック内の前記部分符号化ブロックを前記端末デバイスに送信するときに使用されるHARQプロセス番号と同じである、請求項82乃至89のいずれか1項に記載の端末デバイス。
【発明の詳細な説明】
【技術分野】
【０００１】
本発明はモバイル通信の分野に関し、詳細には、データ送信方法および装置に関する。
【背景技術】
【０００２】
LTE（Long Term Evolution，ロングタームエボリューション）システムにおけるサービス送信は、基地局に基づいてスケジュールされ、サブフレームはスケジューリングのための基本時間単位である。サブフレームの期間は通常1 msである。サブフレームは一般に2つのスロットを含む。スロットは一般に7個の時間領域シンボルを含む。時間領域シンボルは、時間領域の次元においてOFDMまたはSC-FDMAシンボルである。具体的なスケジューリング手順は、基地局は制御チャネル（PDCCH等）を送信し、UEはサブフレームにおいて制御チャネルを検出し、検出された制御チャネル上で搬送されるスケジューリング情報に基づいてダウンリンクデータチャネルを受信するか、または、アップリンクデータチャネルを送信することを含む。制御チャネルは、ダウンリンクデータチャネル（PDSCH等）またはアップリンクデータチャネル（PUSCH等）のスケジューリング情報を搬送してよい。スケジューリング情報は、リソース割当て情報、変調および符号化方式およびHARQ等の制御情報を含む。
【０００３】
LTEシステムはHARQメカニズムを使用する。例としてダウンリンクを使用して、PDSCH上で搬送されるトランスポートブロックTBを受信した後、UEは、TBが正しく受信された場合はアップリンク上でACKをフィードバックし、または、TBが正しく受信されなかった場合はアップリンク上でNACKをフィードバックする。FDDについては、サブフレームn-4でPDSCHを受信した後、UEはサブフレームnにおいてACKまたはNACKをフィードバックする。TDDについては、PDSCH受信と対応するACKまたはNACKフィードバックとの間の時系列関係は、TDDアップリンク-ダウンリンク構成に関連する。基地局がUEによってフィードバックされるNACKを受信した場合、基地局は、その後、UEに、前のPDSCH送信で搬送されたTBを再送信する。さらに、UEは再送信で受信されたPDSCH上のTBの受信された情報と前に正しく受信されなかったTBの受信された情報に対してHARQコンバイニングを実行して、受信性能を向上させることができる。
【０００４】
5Gシステムは、技術的特徴における4GシステムのモバイルブロードバンドMBBに対してさらに強化されたeMBBに加えて、mMTCおよびURLLCをさらにサポートする。URLLCについては、2つの基本要件がある。一方は、サービスの緊急事態において要求される低遅延である。例えば、現在の要件は、アップリンクおよびダウンリンクユーザプレーン待ち時間が両方とも0.5 msであることを指定する。もう一方は超高信頼性である。例えば、10^(-5)のパケットエラー率は1 ms以内に到達される。eMBBおよびURLLCによる柔軟なリソース再利用をサポートするために、解決手段は、バーストURLLC緊急サービスは送信されたeMBBサービスをパンチし得ることである。パンチングは、URLLCサービスが時間-周波数リソースにマッピングされたとき、送信されたeMBBサービスのダウンリンクデータチャネルが配置されるリソースの一部が上書きされることを意味する。このことは、URLLCサービスの低遅延要件を保証するが、eMBBサービスの初期伝送または再伝送に対して性能損失を引き起こす。具体的には、現在送信されているeMBBのTBがeMBB UEによって正しく受信されない可能性が高い。
【０００５】
5GのLTE-AdvancedシステムまたはNRシステムは、HARQメカニズムを使用することができる。例としてダウンリンクを使用すると、UEがダウンリンクデータチャネル上で搬送されるTBを受信した後、UEは、TBが正しく受信された場合はアップリンク上でACKをフィードバックし、または、TBが正しく受信されなかった場合はアップリンク上でNACKをフィードバックする。TBは、現在のデータスケジューリングおよびHARQにおける単位として使用される。具体的には、TB内の1つのCBのみが正しく受信されなかったときでさえ、TB全体はTB CRCを通過しない。具体的には、UEは依然としてTBが正しく受信されなかったと見なし、NACKを基地局にさらにフィードバックする。NACKを受信した後、実際にほとんどのCBが正しく受信されているが、基地局はTB全体がUEによって正しく受信されなかったとだけ見なすことができ、さらに、基地局は、その後、UEのTB全体に対して再送信スケジューリングを実行する。TB全体が再送信されたとしても、UEは、HARQコンバイニングを実行することによって、TBを正しく受信することができない。UEは、前の送信においてURLLCサービスによってどのCBがパンチされるかを学習できない。従って、UEがNACKをフィードバックしたとき、UEのHARQバッファはUEのCBの代わりにURLLCサービスデータを記憶することができる。従って、再送信されたCBとHARQコンバイニングが実行されると、HARQコンバイニング利得が得られない。それどころか、CBは再び正しく受信されることができない。最後に、RLCレイヤでの再送信がトリガされる可能性は高く、システム効率は大幅に低下する。
【０００６】
従って、送信されたeMBBサービスがバーストURLLC緊急サービスによってパンチされるシナリオ、または、短期間バースト干渉がeMBB送信プロセスにおいて生じる拡張シナリオについては、より効率的なデータ送信処理方法が提供される必要がある。
【発明の概要】
【課題を解決するための手段】
【０００７】
本明細書は、短期間バースト干渉のシナリオにおいてより効率的なデータ送信処理方法を提供するためのデータ送信方法および装置を記載する。
【０００８】
1つの態様によると、本発明の実施形態は端末デバイスを提供し、端末デバイスは、
無線アクセスネットワークデバイスによって送信された制御情報および影響を受ける符号化ブロックの指示情報を受信するように構成される受信ユニットであって、ここで、制御情報は、無線アクセスネットワークデバイスによって、端末デバイスの少なくとも1つのトランスポートブロックをスケジュールするために使用され、少なくとも1つのトランスポートブロックの各々は、少なくとも1つの符号化ブロックを含み、影響を受ける符号化ブロックは、少なくとも1つのトランスポートブロックにおける少なくとも1つの符号化ブロックである、受信ユニットと、
影響を受ける符号化ブロックの指示情報に基づいて、影響を受ける符号化ブロックを決定するように構成される処理ユニットとを含み、ここで、
受信ユニットは、制御情報と決定された影響を受ける符号化ブロックに基づいて、少なくとも1つのトランスポートブロックを受信するようにさらに構成される。
【０００９】
可能な設計では、影響を受ける符号化ブロックの指示情報は、影響を受ける符号化ブロックの識別子情報または影響を受ける符号化ブロックに対応するリソースの識別子情報を含む。
【００１０】
可能な設計では、影響を受ける符号化ブロックの識別子情報は、
影響を受ける符号化ブロックのインデックス、または、
影響を受ける符号化ブロックのグループインデックス、または、
第1の符号化ブロックのインデックスであって、ここで、影響を受ける符号化ブロックは、シーケンス内の第1の符号化ブロックの前または後の符号化ブロックを含み、または、影響を受ける符号化ブロックは、第1の符号化ブロックおよびシーケンス内の第1の符号化ブロックの前または後の符号化ブロックを含む、第1の符号化ブロックのインデックス、または、
第1の符号化ブロックグループのインデックスであって、ここで、影響を受ける符号化ブロックは、シーケンス内の第1の符号化ブロックグループの前または後の符号化ブロックを含み、または、影響を受ける符号化ブロックは、第1の符号化ブロックグループおよびシーケンス内の第1の符号化ブロックグループの前または後の符号化ブロックを含む、第1の符号化ブロックグループのインデックスを含む。
【００１１】
可能な設計では、影響を受ける符号化ブロックに対応するリソースの識別子情報は、
影響を受ける符号化ブロックに対応するリソースのインデックス、または、
影響を受ける符号化ブロックに対応するリソースのグループインデックス、または、
第1の符号化ブロックに対応するリソースのインデックスであって、ここで、影響を受ける符号化ブロックは、シーケンス内の第1の符号化ブロックの前または後の符号化ブロックを含み、または、影響を受ける符号化ブロックは、第1の符号化ブロックおよびシーケンス内の第1の符号化ブロックの前または後の符号化ブロックを含む、第1の符号化ブロックに対応するリソースのインデックス、または、
第1の符号化ブロックに対応するリソースグループのインデックスであって、ここで、影響を受ける符号化ブロックは、シーケンス内の第1の符号化ブロックグループの前または後の符号化ブロックを含み、または、影響を受ける符号化ブロックは、第1の符号化ブロックグループおよびシーケンス内の第1の符号化ブロックグループの前または後の符号化ブロックを含む、第1の符号化ブロックに対応するリソースグループのインデックスを含む。
【００１２】
可能な設計では、少なくとも1つのトランスポートブロックがHARQ再送信におけるトランスポートブロックである場合、制御情報は、影響を受ける符号化ブロックの指示情報を搬送し、または、少なくとも1つのトランスポートブロックが初期HARQ送信におけるトランスポートブロックである場合、制御情報は、影響を受ける符号化ブロックの指示情報を搬送しない。
【００１３】
可能な設計では、少なくとも1つのトランスポートブロックはHARQ再送信におけるトランスポートブロックであり、影響を受ける符号化ブロックの指示情報は、制御情報内の変調および符号化指示フィールドにおいて搬送される。
【００１４】
可能な設計では、少なくとも1つのトランスポートブロックがHARQ再送信におけるトランスポートブロックである場合、受信ユニットは、少なくとも1つのトランスポートブロックを受信し、影響を受ける符号化ブロックに対応するデータに対してHARQコンバイニングの実行をスキップするように構成される。
【００１５】
可能な設計では、端末デバイスは、
無線アクセスネットワークデバイスに第1の指示情報を送信するように構成される送信ユニットであって、ここで、第1の指示情報は、第2の符号化ブロックが正しく受信されたかどうかを示し、第2の符号化ブロックは、少なくとも1つの符号化ブロックにおける影響を受ける符号化ブロック以外の符号化ブロックであり、第1の指示情報に含まれるビット数は、第2の符号化ブロックの数未満である、送信ユニットをさらに含む。
【００１６】
任意で、影響を受ける符号化ブロックの指示情報は、影響を受ける符号化ブロックが含まれるかどうかに関する情報をさらに含む。
【００１７】
任意で、第1の指示情報におけるビット数は1である。
【００１８】
任意で、送信ユニットは、第2の指示情報を無線アクセスネットワークデバイスに送信するようにさらに構成され、ここで、第2の指示情報は、影響を受ける符号化ブロックが正しく受信されたかどうかを示すために使用される。
【００１９】
任意で、第2の指示情報におけるビット数は1である。
【００２０】
任意で、端末デバイスは、無線アクセスネットワークデバイスに、影響を受ける符号化ブロックが正しく受信されたかどうかについての指示情報を送信しない。
【００２１】
別の態様によると、本発明の実施形態は無線アクセスネットワークデバイスを提供し、無線アクセスネットワークデバイスは、
制御情報および影響を受ける符号化ブロックの指示情報を端末デバイスに送信するように構成される送信ユニットであって、ここで、制御情報は、無線アクセスネットワークデバイスによって、端末デバイスの少なくとも1つのトランスポートブロックをスケジュールするために使用され、少なくとも1つのトランスポートブロックの各々は、少なくとも1つの符号化ブロックを含み、影響を受ける符号化ブロックは、少なくとも1つのトランスポートブロックにおける少なくとも1つの符号化ブロックである、送信ユニットを含み、ここで、
送信ユニットは、少なくとも1つのトランスポートブロックにおける影響を受ける符号化ブロック以外の少なくとも1つの符号化ブロックを端末デバイスに送信するようにさらに構成される。
【００２２】
可能な設計では、影響を受ける符号化ブロックの指示情報は、影響を受ける符号化ブロックの識別子情報または影響を受ける符号化ブロックに対応するリソースの識別子情報を含む。
【００２３】
可能な設計では、影響を受ける符号化ブロックの識別子情報は、
影響を受ける符号化ブロックのインデックス、または、
影響を受ける符号化ブロックのグループインデックス、または、
第1の符号化ブロックのインデックスであって、ここで、影響を受ける符号化ブロックは、シーケンス内の第1の符号化ブロックの前または後の符号化ブロックを含み、または、影響を受ける符号化ブロックは、第1の符号化ブロックおよびシーケンス内の第1の符号化ブロックの前または後の符号化ブロックを含む、第1の符号化ブロックのインデックス、または、
第1の符号化ブロックグループのインデックスであって、ここで、影響を受ける符号化ブロックは、シーケンス内の第1の符号化ブロックグループの前または後の符号化ブロックを含み、または、影響を受ける符号化ブロックは、第1の符号化ブロックグループおよびシーケンス内の第1の符号化ブロックグループの前または後の符号化ブロックを含む、第1の符号化ブロックグループのインデックスを含む。
【００２４】
可能な設計では、影響を受ける符号化ブロックに対応するリソースの識別子情報は、
影響を受ける符号化ブロックに対応するリソースのインデックス、または、
影響を受ける符号化ブロックに対応するリソースのグループインデックス、または、
第1の符号化ブロックに対応するリソースのインデックスであって、ここで、影響を受ける符号化ブロックは、シーケンス内の第1の符号化ブロックの前または後の符号化ブロックを含み、または、影響を受ける符号化ブロックは、第1の符号化ブロックおよびシーケンス内の第1の符号化ブロックの前または後の符号化ブロックを含む、第1の符号化ブロックに対応するリソースのインデックス、または、
第1の符号化ブロックに対応するリソースグループのインデックスであって、ここで、影響を受ける符号化ブロックは、シーケンス内の第1の符号化ブロックグループの前または後の符号化ブロックを含み、または、影響を受ける符号化ブロックは、第1の符号化ブロックグループおよびシーケンス内の第1の符号化ブロックグループの前または後の符号化ブロックを含む、第1の符号化ブロックに対応するリソースグループのインデックスを含む。
【００２５】
可能な設計では、少なくとも1つのトランスポートブロックがHARQ再送信におけるトランスポートブロックである場合、制御情報は、影響を受ける符号化ブロックの指示情報を搬送し、または、少なくとも1つのトランスポートブロックが初期HARQ送信におけるトランスポートブロックである場合、制御情報は、影響を受ける符号化ブロックの指示情報を搬送しない。
【００２６】
可能な設計では、少なくとも1つのトランスポートブロックはHARQ再送信におけるトランスポートブロックであり、影響を受ける符号化ブロックの指示情報は、制御情報内の変調および符号化指示フィールドにおいて搬送される。
【００２７】
可能な設計では、無線アクセスネットワークデバイスは、
端末デバイスから送信された第1の指示情報を受信するように構成される受信ユニットであって、ここで、第1の指示情報は、第2の符号化ブロックが正しく受信されたかどうかを示し、第2の符号化ブロックは、少なくとも1つの符号化ブロックにおける影響を受ける符号化ブロック以外の符号化ブロックであり、第1の指示情報に含まれるビット数は、第2の符号化ブロックの数未満である、受信ユニットをさらに含む。
【００２８】
別の態様によると、本発明の実施形態はデータ送信方法を提供し、方法は、
端末デバイスによって、無線アクセスネットワークデバイスによって送信された制御情報および影響を受ける符号化ブロックの指示情報を受信するステップであって、ここで、制御情報は、無線アクセスネットワークデバイスによって、端末デバイスの少なくとも1つのトランスポートブロックをスケジュールするために使用され、少なくとも1つのトランスポートブロックの各々は、少なくとも1つの符号化ブロックを含み、影響を受ける符号化ブロックは、少なくとも1つのトランスポートブロックにおける少なくとも1つの符号化ブロックである、ステップと、
端末デバイスによって、影響を受ける符号化ブロックの指示情報に基づいて、影響を受ける符号化ブロックを決定するステップと、
端末デバイスによって、制御情報と決定された影響を受ける符号化ブロックに基づいて、少なくとも1つのトランスポートブロックを受信するステップとを含む。
【００２９】
可能な設計では、影響を受ける符号化ブロックの指示情報は、影響を受ける符号化ブロックの識別子情報または影響を受ける符号化ブロックに対応するリソースの識別子情報を含む。
【００３０】
可能な設計では、影響を受ける符号化ブロックの識別子情報は、
影響を受ける符号化ブロックのインデックス、または、
影響を受ける符号化ブロックのグループインデックス、または、
第1の符号化ブロックのインデックスであって、ここで、影響を受ける符号化ブロックは、シーケンス内の第1の符号化ブロックの前または後の符号化ブロックを含み、または、影響を受ける符号化ブロックは、第1の符号化ブロックおよびシーケンス内の第1の符号化ブロックの前または後の符号化ブロックを含む、第1の符号化ブロックのインデックス、または、
第1の符号化ブロックグループのインデックスであって、ここで、影響を受ける符号化ブロックは、シーケンス内の第1の符号化ブロックグループの前または後の符号化ブロックを含み、または、影響を受ける符号化ブロックは、第1の符号化ブロックグループおよびシーケンス内の第1の符号化ブロックグループの前または後の符号化ブロックを含む、第1の符号化ブロックグループのインデックスを含む。
【００３１】
可能な設計では、影響を受ける符号化ブロックに対応するリソースの識別子情報は、
影響を受ける符号化ブロックに対応するリソースのインデックス、または、
影響を受ける符号化ブロックに対応するリソースのグループインデックス、または、
第1の符号化ブロックに対応するリソースのインデックスであって、ここで、影響を受ける符号化ブロックは、シーケンス内の第1の符号化ブロックの前または後の符号化ブロックを含み、または、影響を受ける符号化ブロックは、第1の符号化ブロックおよびシーケンス内の第1の符号化ブロックの前または後の符号化ブロックを含む、第1の符号化ブロックに対応するリソースのインデックス、または、
第1の符号化ブロックに対応するリソースグループのインデックスであって、ここで、影響を受ける符号化ブロックは、シーケンス内の第1の符号化ブロックグループの前または後の符号化ブロックを含み、または、影響を受ける符号化ブロックは、第1の符号化ブロックグループおよびシーケンス内の第1の符号化ブロックグループの前または後の符号化ブロックを含む、第1の符号化ブロックに対応するリソースグループのインデックスを含む。
【００３２】
可能な設計では、少なくとも1つのトランスポートブロックがHARQ再送信におけるトランスポートブロックである場合、制御情報は、影響を受ける符号化ブロックの指示情報を搬送し、または、少なくとも1つのトランスポートブロックが初期HARQ送信におけるトランスポートブロックである場合、制御情報は、影響を受ける符号化ブロックの指示情報を搬送しない。
【００３３】
可能な設計では、少なくとも1つのトランスポートブロックはHARQ再送信におけるトランスポートブロックであり、影響を受ける符号化ブロックの指示情報は、制御情報内の変調および符号化指示フィールドにおいて搬送される。
【００３４】
可能な設計では、端末デバイスによって、制御情報と決定された影響を受ける符号化ブロックに基づいて、少なくとも1つのトランスポートブロックを受信するステップは、
少なくとも1つのトランスポートブロックがHARQ再送信におけるトランスポートブロックである場合、端末デバイスによって、影響を受ける符号化ブロックに対応するデータに対してHARQコンバイニングの実行をスキップするステップを含む。
【００３５】
可能な設計では、方法は、
端末デバイスによって、無線アクセスネットワークデバイスに第1の指示情報を送信するステップであって、ここで、第1の指示情報は、第2の符号化ブロックが正しく受信されたかどうかを示し、第2の符号化ブロックは、少なくとも1つの符号化ブロックにおける影響を受ける符号化ブロック以外の符号化ブロックであり、第1の指示情報に含まれるビット数は、第2の符号化ブロックの数未満である、ステップをさらに含む。
【００３６】
任意で、影響を受ける符号化ブロックの指示情報は、影響を受ける符号化ブロックが含まれるかどうかに関する情報をさらに含む。
【００３７】
任意で、第1の指示情報内のビット数は1であり、端末デバイスによって、第1の指示情報を無線アクセスネットワークデバイスに送信するステップは、
第2の符号化ブロックの全てが正しく受信された場合、端末デバイスによって、確認応答ビットを無線アクセスネットワークデバイスに送信し、または、少なくとも1つの第2の符号化ブロックが正しく受信されていない場合、端末デバイスによって、否定応答ビットを無線アクセスネットワークデバイスに送信するステップを含む。
【００３８】
任意で、方法は、
端末デバイスによって、第2の指示情報を無線アクセスネットワークデバイスに送信するステップであって、ここで、第2の指示情報は、影響を受ける符号化ブロックが正しく受信されたかどうかを示すために使用される、ステップをさらに含む。
【００３９】
任意で、第2の指示情報内のビット数は1であり、端末デバイスによって、第2の指示情報を無線アクセスネットワークデバイスに送信するステップは、
影響を受ける符号化ブロックの全てが正しく受信された場合、端末デバイスによって、確認応答ビットを無線アクセスネットワークデバイスに送信し、または、少なくとも1つの影響を受ける符号化ブロックが正しく受信されていない場合、端末デバイスによって、否定応答ビットを無線アクセスネットワークデバイスに送信するステップを含む。
【００４０】
任意で、端末デバイスは、無線アクセスネットワークデバイスに、影響を受ける符号化ブロックが正しく受信されたかどうかについての指示情報を送信しない。
【００４１】
別の態様によると、本発明の実施形態はデータ送信方法を提供し、方法は、
無線アクセスネットワークデバイスによって、制御情報および影響を受ける符号化ブロックの指示情報を端末デバイスに送信するステップであって、ここで、制御情報は、無線アクセスネットワークデバイスによって、端末デバイスの少なくとも1つのトランスポートブロックをスケジュールするために使用され、少なくとも1つのトランスポートブロックの各々は、少なくとも1つの符号化ブロックを含み、影響を受ける符号化ブロックは、少なくとも1つのトランスポートブロックにおける少なくとも1つの符号化ブロックである、ステップと、
無線アクセスネットワークデバイスによって、少なくとも1つのトランスポートブロックにおける影響を受ける符号化ブロック以外の少なくとも1つの符号化ブロックを端末デバイスに送信するステップとを含む。
【００４２】
可能な設計では、影響を受ける符号化ブロックの指示情報は、影響を受ける符号化ブロックの識別子情報または影響を受ける符号化ブロックに対応するリソースの識別子情報を含む。
【００４３】
可能な設計では、影響を受ける符号化ブロックの識別子情報は、
影響を受ける符号化ブロックのインデックス、または、
影響を受ける符号化ブロックのグループインデックス、または、
第1の符号化ブロックのインデックスであって、ここで、影響を受ける符号化ブロックは、シーケンス内の第1の符号化ブロックの前または後の符号化ブロックを含み、または、影響を受ける符号化ブロックは、第1の符号化ブロックおよびシーケンス内の第1の符号化ブロックの前または後の符号化ブロックを含む、第1の符号化ブロックのインデックス、または、
第1の符号化ブロックグループのインデックスであって、ここで、影響を受ける符号化ブロックは、シーケンス内の第1の符号化ブロックグループの前または後の符号化ブロックを含み、または、影響を受ける符号化ブロックは、第1の符号化ブロックグループおよびシーケンス内の第1の符号化ブロックグループの前または後の符号化ブロックを含む、第1の符号化ブロックグループのインデックスを含む。
【００４４】
可能な設計では、影響を受ける符号化ブロックに対応するリソースの識別子情報は、
影響を受ける符号化ブロックに対応するリソースのインデックス、または、
影響を受ける符号化ブロックに対応するリソースのグループインデックス、または、
第1の符号化ブロックに対応するリソースのインデックスであって、ここで、影響を受ける符号化ブロックは、シーケンス内の第1の符号化ブロックの前または後の符号化ブロックを含み、または、影響を受ける符号化ブロックは、第1の符号化ブロックおよびシーケンス内の第1の符号化ブロックの前または後の符号化ブロックを含む、第1の符号化ブロックに対応するリソースのインデックス、または、
第1の符号化ブロックに対応するリソースグループのインデックスであって、ここで、影響を受ける符号化ブロックは、シーケンス内の第1の符号化ブロックグループの前または後の符号化ブロックを含み、または、影響を受ける符号化ブロックは、第1の符号化ブロックグループおよびシーケンス内の第1の符号化ブロックグループの前または後の符号化ブロックを含む、第1の符号化ブロックに対応するリソースグループのインデックスを含む。
【００４５】
可能な設計では、少なくとも1つのトランスポートブロックがHARQ再送信におけるトランスポートブロックである場合、制御情報は、影響を受ける符号化ブロックの指示情報を搬送し、または、少なくとも1つのトランスポートブロックが初期HARQ送信におけるトランスポートブロックである場合、制御情報は、影響を受ける符号化ブロックの指示情報を搬送しない。
【００４６】
可能な設計では、少なくとも1つのトランスポートブロックはHARQ再送信におけるトランスポートブロックであり、影響を受ける符号化ブロックの指示情報は、制御情報内の変調および符号化指示フィールドにおいて搬送される。
【００４７】
可能な設計では、方法は、
無線アクセスネットワークデバイスによって、端末デバイスから送信された第1の指示情報を受信するステップであって、ここで、第1の指示情報は、第2の符号化ブロックが正しく受信されたかどうかを示し、第2の符号化ブロックは、少なくとも1つの符号化ブロックにおける影響を受ける符号化ブロック以外の符号化ブロックであり、第1の指示情報に含まれるビット数は、第2の符号化ブロックの数未満である、ステップをさらに含む。
【００４８】
さらに別の態様によると、本発明の実施形態は端末デバイスを提供し、端末デバイスは、
無線アクセスネットワークデバイスによって送信された制御情報および影響を受ける符号化ブロックの指示情報を受信するように構成され、ここで、制御情報は、無線アクセスネットワークデバイスによって、端末デバイスの少なくとも1つのトランスポートブロックをスケジュールするために使用され、少なくとも1つのトランスポートブロックの各々は、少なくとも1つの符号化ブロックを含み、影響を受ける符号化ブロックは、少なくとも1つのトランスポートブロックにおける少なくとも1つの符号化ブロックであり、制御情報に基づいて、少なくとも1つのトランスポートブロックを受信するように構成される受信ユニットと、
影響を受ける符号化ブロックの指示情報に基づいて、端末デバイスによって、影響を受ける符号化ブロックを決定し、第1の指示情報を決定するように構成される処理ユニットであって、ここで、第1の指示情報は、第2の符号化ブロックが正しく受信されたかどうかを示し、第2の符号化ブロックは、少なくとも1つの符号化ブロックにおける影響を受ける符号化ブロック以外の符号化ブロックであり、第1の指示情報に含まれるビット数は、第2の符号化ブロックの数未満である、処理ユニットと、
第1の指示情報を無線アクセスネットワークデバイスに送信するように構成される送信ユニットとを含む。
【００４９】
可能な設計では、第1の指示情報内のビット数は1であり、処理ユニットは、第2の符号化ブロックの全てが正しく受信されたかどうかを判定するように構成され、ここで、第2の符号化ブロックの全てが正しく受信されている場合、第1の指示情報は確認応答ビットであり、または、少なくとも1つの第2の符号化ブロックが正しく受信されていない場合、第1の指示情報は否定応答ビットである。
【００５０】
可能な設計では、処理ユニットは、第2の指示情報を決定するようにさらに構成され、ここで、第2の指示情報は、影響を受ける符号化ブロックが正しく受信されたかどうかを示すために使用され、送信ユニットは、第2の指示情報を無線アクセスネットワークデバイスに送信するようにさらに構成される。
【００５１】
可能な設計では、第2の指示情報内のビット数は1であり、処理ユニットは、影響を受ける符号化ブロックの全てが正しく受信されたかどうかを判定するように構成され、ここで、影響を受ける符号化ブロックの全てが正しく受信されている場合、第2の指示情報は確認応答ビットであり、または、少なくとも1つの影響を受ける符号化ブロックが正しく受信されていない場合、第2の指示情報は否定応答ビットである。
【００５２】
可能な設計では、端末デバイスは、無線アクセスネットワークデバイスに、影響を受ける符号化ブロックが正しく受信されたかどうかについての指示情報を送信しない。
【００５３】
可能な設計では、影響を受ける符号化ブロックの指示情報は、影響を受ける符号化ブロックの識別子情報または影響を受ける符号化ブロックに対応するリソースの識別子情報を含む。
【００５４】
さらに別の態様によると、本発明の実施形態は無線アクセスネットワークデバイスを提供し、無線アクセスネットワークデバイスは、
制御情報および影響を受ける符号化ブロックの指示情報を端末デバイスに送信するように構成され、ここで、制御情報は、無線アクセスネットワークデバイスによって、端末デバイスの少なくとも1つのトランスポートブロックをスケジュールするために使用され、少なくとも1つのトランスポートブロックの各々は、少なくとも1つの符号化ブロックを含み、影響を受ける符号化ブロックは、少なくとも1つのトランスポートブロックにおける少なくとも1つの符号化ブロックであり、少なくとも1つのトランスポートブロックにおける影響を受ける符号化ブロック以外の少なくとも1つの符号化ブロックを端末デバイスに送信するように構成される送信ユニットと、
端末デバイスによって送信された第1の指示情報を受信するように構成される受信ユニットであって、ここで、第1の指示情報は、第2の符号化ブロックが正しく受信されたかどうかを示し、第2の符号化ブロックは、少なくとも1つの符号化ブロックにおける影響を受ける符号化ブロック以外の符号化ブロックであり、第1の指示情報に含まれるビット数は、第2の符号化ブロックの数未満である、受信ユニットとを含む。
【００５５】
可能な設計では、第1の指示情報内のビット数は1である。
【００５６】
可能な設計では、受信ユニットは、端末デバイスによって送信された第2の指示情報を受信するようにさらに構成され、ここで、第2の指示情報は、影響を受ける符号化ブロックが正しく受信されたかどうかを示し、第2の指示情報に含まれるビット数は、影響を受ける符号化ブロックの数未満である。
【００５７】
可能な設計では、第2の指示情報内のビット数は1である。
【００５８】
可能な設計では、無線アクセスネットワークデバイスは第2の指示情報を受信せず、ここで、第2の指示情報は、影響を受ける符号化ブロックが正しく受信されたかどうかを示すために使用される。
【００５９】
可能な設計では、影響を受ける符号化ブロックの指示情報は、影響を受ける符号化ブロックの識別子情報または影響を受ける符号化ブロックに対応するリソースの識別子情報を含む。
【００６０】
さらに別の態様によると、本発明の実施形態はデータ送信方法を提供し、方法は、
端末デバイスによって、無線アクセスネットワークデバイスによって送信された制御情報および影響を受ける符号化ブロックの指示情報を受信するステップであって、ここで、制御情報は、無線アクセスネットワークデバイスによって、端末デバイスの少なくとも1つのトランスポートブロックをスケジュールするために使用され、少なくとも1つのトランスポートブロックの各々は、少なくとも1つの符号化ブロックを含み、影響を受ける符号化ブロックは、少なくとも1つのトランスポートブロックにおける少なくとも1つの符号化ブロックである、ステップと、
端末デバイスによって、制御情報に基づいて、少なくとも1つのトランスポートブロックを受信するステップと、
端末デバイスによって、影響を受ける符号化ブロックの指示情報に基づいて、影響を受ける符号化ブロックを決定するステップと、
端末デバイスによって、第1の指示情報を無線アクセスネットワークデバイスに送信するステップであって、ここで、第1の指示情報は、第2の符号化ブロックが正しく受信されたかどうかを示し、第2の符号化ブロックは、少なくとも1つの符号化ブロックにおける影響を受ける符号化ブロック以外の符号化ブロックであり、第1の指示情報に含まれるビット数は、第2の符号化ブロックの数未満である、ステップとを含む。
【００６１】
可能な設計では、第1の指示情報内のビット数は1であり、端末デバイスによって、第1の指示情報を無線アクセスネットワークデバイスに送信するステップは、
第2の符号化ブロックの全てが正しく受信された場合、端末デバイスによって、確認応答ビットを無線アクセスネットワークデバイスに送信し、または、少なくとも1つの第2の符号化ブロックが正しく受信されていない場合、端末デバイスによって、否定応答ビットを無線アクセスネットワークデバイスに送信するステップを含む。
【００６２】
可能な設計では、方法は、
端末デバイスによって、第2の指示情報を無線アクセスネットワークデバイスに送信するステップであって、ここで、第2の指示情報は、影響を受ける符号化ブロックが正しく受信されたかどうかを示すために使用される、ステップをさらに含む。
【００６３】
可能な設計では、第2の指示情報内のビット数は1であり、端末デバイスによって、第2の指示情報を無線アクセスネットワークデバイスに送信するステップは、
影響を受ける符号化ブロックの全てが正しく受信された場合、端末デバイスによって、確認応答ビットを無線アクセスネットワークデバイスに送信し、または、少なくとも1つの影響を受ける符号化ブロックが正しく受信されていない場合、端末デバイスによって、否定応答ビットを無線アクセスネットワークデバイスに送信するステップを含む。
【００６４】
可能な設計では、端末デバイスは、無線アクセスネットワークデバイスに、影響を受ける符号化ブロックが正しく受信されたかどうかについての指示情報を送信しない。
【００６５】
可能な設計では、影響を受ける符号化ブロックの指示情報は、影響を受ける符号化ブロックの識別子情報または影響を受ける符号化ブロックに対応するリソースの識別子情報を含む。
【００６６】
任意で、影響を受ける符号化ブロックの識別子情報は、
影響を受ける符号化ブロックのインデックス、または、
影響を受ける符号化ブロックのグループインデックス、または、
第1の符号化ブロックのインデックスであって、ここで、影響を受ける符号化ブロックは、シーケンス内の第1の符号化ブロックの前または後の符号化ブロックを含み、または、影響を受ける符号化ブロックは、第1の符号化ブロックおよびシーケンス内の第1の符号化ブロックの前または後の符号化ブロックを含む、第1の符号化ブロックのインデックス、または、
第1の符号化ブロックグループのインデックスであって、ここで、影響を受ける符号化ブロックは、シーケンス内の第1の符号化ブロックグループの前または後の符号化ブロックを含み、または、影響を受ける符号化ブロックは、第1の符号化ブロックグループおよびシーケンス内の第1の符号化ブロックグループの前または後の符号化ブロックを含む、第1の符号化ブロックグループのインデックスを含む。
【００６７】
任意で、影響を受ける符号化ブロックに対応するリソースの識別子情報は、
影響を受ける符号化ブロックに対応するリソースのインデックス、または、
影響を受ける符号化ブロックに対応するリソースのグループインデックス、または、
第1の符号化ブロックに対応するリソースのインデックスであって、ここで、影響を受ける符号化ブロックは、シーケンス内の第1の符号化ブロックの前または後の符号化ブロックを含み、または、影響を受ける符号化ブロックは、第1の符号化ブロックおよびシーケンス内の第1の符号化ブロックの前または後の符号化ブロックを含む、第1の符号化ブロックに対応するリソースのインデックス、または、
第1の符号化ブロックに対応するリソースグループのインデックスであって、ここで、影響を受ける符号化ブロックは、シーケンス内の第1の符号化ブロックグループの前または後の符号化ブロックを含み、または、影響を受ける符号化ブロックは、第1の符号化ブロックグループおよびシーケンス内の第1の符号化ブロックグループの前または後の符号化ブロックを含む、第1の符号化ブロックに対応するリソースグループのインデックスを含む。
【００６８】
任意で、少なくとも1つのトランスポートブロックがHARQ再送信におけるトランスポートブロックである場合、制御情報は、影響を受ける符号化ブロックの指示情報を搬送し、または、少なくとも1つのトランスポートブロックが初期HARQ送信におけるトランスポートブロックである場合、制御情報は、影響を受ける符号化ブロックの指示情報を搬送しない。
【００６９】
任意で、少なくとも1つのトランスポートブロックはHARQ再送信におけるトランスポートブロックであり、影響を受ける符号化ブロックの指示情報は、制御情報内の変調および符号化指示フィールドにおいて搬送される。
【００７０】
任意で、端末デバイスによって、制御情報と決定された影響を受ける符号化ブロックに基づいて、少なくとも1つのトランスポートブロックを受信するステップは、
少なくとも1つのトランスポートブロックがHARQ再送信におけるトランスポートブロックである場合、端末デバイスによって、影響を受ける符号化ブロックに対応するデータに対してHARQコンバイニングの実行をスキップするステップを含む。
【００７１】
任意で、方法は、端末デバイスによって、第2の符号化ブロックにおいて正しく受信されず、無線アクセスネットワークデバイスによって送信された符号化ブロックを受信するステップ、または、
端末デバイスによって、無線アクセスネットワークデバイスによって送信された、影響を受ける符号化ブロックと、第2の符号化ブロックにおいて正しく受信されなかった符号化ブロックとを受信するステップをさらに含む。
【００７２】
別の態様によると、本発明の実施形態はデータ送信方法を提供し、方法は、
無線アクセスネットワークデバイスによって、制御情報および影響を受ける符号化ブロックの指示情報を端末デバイスに送信するステップであって、ここで、制御情報は、無線アクセスネットワークデバイスによって、端末デバイスの少なくとも1つのトランスポートブロックをスケジュールするために使用され、少なくとも1つのトランスポートブロックの各々は、少なくとも1つの符号化ブロックを含み、影響を受ける符号化ブロックは、少なくとも1つのトランスポートブロックにおける少なくとも1つの符号化ブロックである、ステップと、
無線アクセスネットワークデバイスによって、少なくとも1つのトランスポートブロックにおける影響を受ける符号化ブロック以外の少なくとも1つの符号化ブロックを端末デバイスに送信するステップと、
無線アクセスネットワークデバイスによって、端末デバイスによって送信された第1の指示情報を受信するステップであって、ここで、第1の指示情報は、第2の符号化ブロックが正しく受信されたかどうかを示し、第2の符号化ブロックは、少なくとも1つの符号化ブロックにおける影響を受ける符号化ブロック以外の符号化ブロックであり、第1の指示情報に含まれるビット数は、第2の符号化ブロックの数未満である、ステップとを含む。
【００７３】
可能な設計では、第1の指示情報内のビット数は1である。
【００７４】
可能な設計では、方法は、
無線アクセスネットワークデバイスによって、端末デバイスによって送信された第2の指示情報を受信するステップであって、ここで、第2の指示情報は、影響を受ける符号化ブロックが正しく受信されたかどうかを示し、第2の指示情報に含まれるビット数は、影響を受ける符号化ブロックの数未満である、ステップをさらに含む。
【００７５】
可能な設計では、第2の指示情報内のビット数は1である。
【００７６】
可能な設計では、方法は、
無線アクセスネットワークデバイスは第2の指示情報を受信せず、ここで、第2の指示情報は、影響を受ける符号化ブロックが正しく受信されたかどうかを示すために使用されることをさらに含む。
【００７７】
可能な設計では、影響を受ける符号化ブロックの指示情報は、影響を受ける符号化ブロックの識別子情報または影響を受ける符号化ブロックに対応するリソースの識別子情報を含む。
【００７８】
さらに別の態様によると、本発明の実施形態は通信システムを提供し、ここで、システムは前述の態様における無線アクセスネットワークデバイスおよび端末デバイスを含む。
【００７９】
さらに別の態様によると、本発明の実施形態はコンピュータ記憶媒体を提供し、コンピュータ記憶媒体は、無線アクセスネットワークデバイスによって使用されるコンピュータソフトウェア命令を記憶するように構成され、ここで、コンピュータソフトウェア命令は、前述の態様を実行するために設計されるプログラムを含む。
【００８０】
さらに別の態様によると、本発明の実施形態はコンピュータ記憶媒体を提供し、コンピュータ記憶媒体は、端末デバイスによって使用されるコンピュータソフトウェア命令を記憶するように構成され、ここで、コンピュータソフトウェア命令は、前述の態様を実行するために設計されるプログラムを含む。
【００８１】
本発明によって提供される解決手段は、短期間バースト干渉のシナリオにおいてデータ送信効率を改善することができる。実施形態は、バーストURLLCサービスの低遅延要件を保証し、URLCCとeMBBサービス間の効率性が高く柔軟な多重化をサポートする。
【図面の簡単な説明】
【００８２】
本発明の実施形態における、または従来技術における技術的解決手段をより明確に説明するために、以下では、実施形態または従来技術を説明するために必要とされる添付図面を簡潔に説明する。明らかに、以下の説明における添付図面は、本発明のいくつかの実施形態を単に示しており、当業者は、創造的努力無しに、これらの添付図面から他の実施を導出することができる。これらの実施形態または実施の全ては、本発明の保護範囲に包含されるべきである。
【００８３】
【図１】図1は、本発明に係る、可能な適用シナリオの概略図である。
【図２】図2は、本発明に係る、データ送信方法の実施形態の概略フローチャートである。
【図３】図3は、影響を受ける符号化ブロックを示すための方法の概略図である。
【図４】図4は、影響を受ける符号化ブロックを示すための別の方法の概略図である。
【図５】図5は、本発明に係るデータ送信方法の別の実施形態の概略フローチャートである。
【図６】図6は、本発明に係るデータ送信方法の別の実施形態の概略フローチャートである。
【図７】図7は、本発明に係る端末デバイスの実施形態の概略構成図である。
【図８】図8は、本発明に係る端末デバイスの別の実施形態の概略構成図である。
【図９】図9は、本発明に係る無線アクセスネットワークデバイスの実施形態の概略構成図である。
【図１０】図10は、本発明に係る無線アクセスネットワークデバイスの別の実施形態の概略構成図である。
【図１１】図11は、本発明に係るデータ送信方法の別の実施形態の概略フローチャートである。
【図１２】図12は、本発明に係る端末デバイスの別の実施形態の概略構成図である。
【図１３】図13は、本発明に係る端末デバイスの別の実施形態の概略構成図である。
【図１４】図14は、本発明に係る無線アクセスネットワークデバイスの別の実施形態の概略構成図である。
【図１５】図15は、本発明に係る無線アクセスネットワークデバイスの別の実施形態の概略構成図である。
【図１６】図16は、本発明に係るデータ送信方法の別の実施形態の概略フローチャートである。
【図１７】図17は、本発明に係る、データ送信方法の別の実施形態の概略フローチャートである。
【発明を実施するための形態】
【００８４】
本発明の実施形態における技術的解決手段は、添付図面を参照して、以下で明確かつ完全に説明される。明らかに、説明される実施形態は、本発明の実施形態の単なる一部であって全てではない。創造的努力無しに本発明の実施形態に基づいて当業者によって取得される全ての他の実施形態は、本発明の保護範囲に包含されるべきである。
【００８５】
図1は本発明の実施形態が適用される通信システム100を示す。通信システム100は、少なくとも1つの無線アクセスネットワークデバイス110および無線アクセスネットワークデバイス110のカバレッジ内に配置される複数の端末デバイス120を含んでよい。図1は1つの無線アクセスネットワークデバイスおよび2つの端末デバイスを例として示す。任意で、通信システム100は、複数の無線アクセスネットワークデバイスを含んでよく、別の数の端末デバイスが各無線アクセスネットワークデバイスのカバレッジ内に含まれても良い。このことは、本発明の実施形態では限定されない。
【００８６】
任意で、無線通信システム100は、ネットワークコントローラおよびモビリティ管理エンティティ等の他のネットワークエンティティをさらに含んでよいが、本発明の実施形態はこれらに限定されない。
【００８７】
本発明の実施形態が適用される通信システムは、モバイル通信用グローバルシステム（Global System for Mobile communications, GSM（登録商標））システム、符号分割多元接続（Code Division Multiple Access, CDMA）システム、広帯域符号分割多元接続（Wideband Code Division Multiple Access, WCDMA（登録商標））システム、一般パケット無線サービス（General Packet Radio Service, GPRS）、ロングタームエボリューション（Long Term Evolution, LTE）システム、LTE周波数分割複信（Frequency Division Duplex, FDD）システム、LTE時分割複信（Time Division Duplex, TDD）システム、ユニバーサル移動体通信システム（Universal Mobile Telecommunications System, UMTS）、直交周波数分割多重（OFDM）技術が適用される別の無線通信システム等であってよい。本発明の実施形態において説明されるシステムアーキテクチャおよびビジネスシナリオは、本発明の実施形態における技術的解決手段をより明確に説明することを目的としているが、本発明の実施形態で提供される技術的解決手段を限定することは意図されていない。当業者は、ネットワークアーキテクチャが進化し、新しいビジネスシナリオが出現するにつれて、本発明の実施形態で提供される技術的解決手段は、同様の技術的課題にさらに適用可能であることを知り得る。
【００８８】
本発明の実施形態における無線アクセスネットワークデバイスは、端末デバイスのための無線通信機能を提供するために使用されてよい。無線アクセスネットワークデバイスは、マクロ基地局、マイクロ基地局（スモールセルとも呼ばれる）、中継局、アクセスポイント等を様々な形態で含んでよい。無線アクセスネットワークデバイスは、GSM（登録商標）システムまたはCDMAシステムにおけるBTS(Base Transceiver Station, BTS)であってよく、または、WCDMA（登録商標）システムにおけるノードB（NodeB, NB）であってよく、または、LTEシステムにおける進化型ノードB（Evolved NodeB, eNB, またはe-NodeB）であってよく、または、5Gネットワークにおける対応するデバイスgNBであってよい。説明を容易にするために、本発明の全ての実施形態では、端末デバイスのために無線通信機能を提供する前述の装置は、集約的に無線アクセスネットワークデバイスと呼ばれる。
【００８９】
本発明の実施形態では、端末デバイスは、ユーザ機器（User Equipment, UE）、モバイル局（Mobile Station, MS）、モバイル端末（Mobile Terminal）等と呼ばれてよい。端末デバイスは、無線アクセスネットワーク（Radio Access Network, RAN）を使用することによって、1つまたは複数のコアネットワークと通信してよい。例えば、端末デバイスは、モバイル電話（または「セルラ」電話とも呼ばれる）またはモバイル端末を有するコンピュータであってよい。例えば、端末デバイスは、音声および/またはデータを無線アクセスネットワークと交換するポータブル、ポケットサイズ、ハンドヘルド、コンピュータ内蔵型または車載のモバイル装置であってよい。このことは、本発明の実施形態において特に限定されない。
【００９０】
現在の無線システムにおけるデータスケジューリングおよび対応するHARQフィードバックおよび可能なHARQ再送信における単位として、トランスポートブロックTBが使用される。ダウンリンクデータスケジューリングを例として使用すると、UEのために基地局によってスケジュールされたPDSCHは一般に1つまたは2つのTBを含む。具体的には、PDSCHが1つの符号語を含む場合、例えば、非MIMOスケジューリングのケースでは、符号語は1つのTBに対応し、または、PDSCHが2つの符号語を含む場合、例えば、MIMOスケジューリングのケースでは、符号語は2つのTBに対応する。説明を容易にするために、本明細書では、単一の符号語に対応する1つのTBが例として使用される。複数の符号語については、単一の符号語の処理と同様の方式で、別々の処理が実行されてよい。UEがPDSCH上でTBを正しく受信した場合、UEはアップリンク上でACKをフィードバックし、そうでなければ、UEはNACKをフィードバックする。基地局がUEによってフィードバックされたNACKを受信した場合、その後、UEによって正しく受信されなかったTBに対して、再送信スケジューリングがさらに実行される。
【００９１】
符号化/復号化の複雑さおよび高速符号化/復号化の利点を考慮すると、1つのTBは別々のチャネル符号化/復号化のための複数の符号化ブロックCBに分割され得る。例えば、turbo符号については、一般に最大CBのビット数は6144である。具体的には、TBのビット数が6144を超過した場合、TBは、別々の符号化/復号化のために複数のCBに分割される必要がある。LDPCについては、一般に、最大CBのビット数はおよそ2000である。具体的には、TBは並列符号化/復号化のためにより多くのCBに分割されてよい。一般に、各CBは独立したチェック機能を有する。例えば、例としてturbo符号を使用すると、CB CRCは符号化前に各CBに追加される。このようにして、UEが各CBを復号した後、UEは、CRCチェックを実行することによって、現在のCBが正しく復号されたかどうかを判定してよい。LDPCについては、CB CRCはまた、各CBに追加されてもよく、または、LDPC自身の符号化行列がチェック機能を有し、すなわち、LDPCの各CBはまた、チェック機能を有してよい。
【００９２】
高速符号化/復号化を実施するために、例としてダウンリンクを使用して、符号化変調シンボルは最初に周波数領域で、その後時間領域で物理リソースにマッピングされ、CBのインタリービングは実行されない。具体的には、マッピングはCBのシーケンスで実行される。これの利点は、UEは、復号を開始する前にPDSCH上の全てのCBをバッファリングするのを待つ代わりに、CBをバッファリングするときに復号を開始することができることである。
【００９３】
URLLCサービスがeMBBサービスをパンチするとき、URLLCデータ送信時間が一般に比較的短く、URLLCサービスがeMBBサービスよりも短い時間領域シンボルおよび/またはサブフレームを使用する可能性が高いことを考慮すると、URLLCサービスは、eMBBのPDSCH上で少数のCBのみの時間-周波数リソース位置をパンチしてよく、例えば、1つまたは2つのCBの時間-周波数リソース位置をパンチしてよい。わかるように、URLLCサービスは、URLLCの低遅延要件を保証するために、eMBBのPDSCHをパンチし、eMBBのPDSCH上のTBにおける複数のCBのうち少数のCBのみが影響を受ける。eMBBのPDSCH上のTBが30個のCBを含むと仮定すると、1つまたは2つのCBのみが、URLLCサービスによるパンチングのために、UEによって正しく受信されない。しかしながら、TB内の1つのCBのみが正しく受信されなかったときでさえ、TB全体はTB CRCを通過しない。具体的には、UEは依然としてTBが正しく受信されなかったと見なし、NACKを基地局にさらにフィードバックする。NACKを受信した後、実際にほとんどのCBが正しく受信されているが、基地局はTB全体がUEによって正しく受信されなかったとだけ見なすことができ、さらに、基地局は、その後、UEのTB全体に対して再送信スケジューリングを実行する。TB全体が再送信されたとしても、UEは、HARQコンバイニングを実行することによって、TBを正しく受信することができない。UEは、前の送信においてURLLCサービスによってどのCBがパンチされるかを学習できない。従って、UEがNACKをフィードバックしたとき、UEのHARQバッファはUEのCBの代わりにURLLCサービスを記憶することができる。従って、再送信されたCBとHARQコンバイニングが実行されると、HARQコンバイニング利得が得られない。それどころか、CBは再び正しく受信されることができない。最後に、RLCレイヤでの再送信がトリガされる可能性は高く、システム効率は大幅に低下する。
【００９４】
少数のCBのみがURLLCサービスによってパンチされるため、eMBB TB全体の再送信によって引き起こされるシステム効率低下の課題を解決するために、従来技術は、CB単位に基づくHARQフィードバックと再送信を使用する。具体的には、UEはTB全体における各CBがUEによって正しく受信されたかどうかについて別々のHARQフィードバックを提供し、基地局は、UEによって正しく受信されなかったCBを再送信し、または、初期HARQ送信を使用することによって、UEによって正しく受信されなかったCBを再送信する。CB単位に基づくHARQメカニズムを使用した後、基地局は、TBにおけるどのCBがUEによって正しく受信されなかったかを知り、ここで、CBはURLLCサービスによってパンチされたCBを含み、または、URLLCサービスによってパンチされていないが、チャネルフェージング等の他の理由によりUEによって正しく受信されなかったCBを含んでよい。URLLCサービスによってパンチされたCBについては、UEのHARQバッファがURLLCサービスによって汚染されているためにHARQコンバイニングを実行することによって再送信されたパケットを受信することにおける失敗をその後解決するために、基地局は、初期送信スケジューリングを直接実行する。URLLCサービスによってパンチされていないが、チャネルフェージング等の他の理由によりUEによって正しく受信されなかったCBについては、基地局は通常、再送信スケジューリングを実行してよく、UEは通常、正しい受信の確率を高めるためにHARQコンバイニングを実行してよい。
【００９５】
LTEのさらなる進化型システムまたはNRシステムにおけるサービス送信は、基地局に基づいて依然としてスケジュールされる。通常のデータ送信手順は、CRCをデータの元のビットに追加して、符号化を実行して符号語を形成すること、符号語に対してスクランブリングおよびコンステレーション変調を実行して変調シンボルを形成すること、変調シンボルを時間、周波数および空間リソースにマッピングすることであって、ここで、空間リソースは、マルチアンテナ送信モードを対象とし、最後に、データを送信のための時間領域に変換することである。これは、ベースバンドデータ送信手順全体である。
【００９６】
実施形態では、HARQコンバイニングによって引き起こされるHARQバッファ汚染問題を解決するために、無線アクセスネットワークデバイスは、端末デバイスに、影響を受ける符号化ブロックの指示情報を通知し、端末デバイスは、正しく受信されなかったCBを判定し、データ回復を実行するためにCBに関して再送信されたデータパケットを使用する。無線アクセスネットワークデバイスが端末デバイスに対する初期送信または再送信スケジューリングを実行するとき、無線アクセスネットワークデバイスは、端末デバイスに、現在のTBの前の送信（初期送信または前の再送信）中に、どのCBがURLLC送信によってパンチされたかを通知し、パンチ情報を取得した後、端末デバイスが前に正しく受信されなかったCBに対してHARQコンバイニングを実行したとき、端末デバイスは、パンチされたCBに対してHARQコンバイニングを実行しないが、通常、パンチされなかったCBに対してHARQコンバイニングを実行することができる。
【００９７】
図2を参照すると、本発明によって提供されるデータ送信方法の実施形態は以下のステップを含む。
【００９８】
S201. 無線アクセスネットワークデバイスは、制御情報および影響を受ける符号化ブロックの指示情報を端末デバイスに送信し、ここで、制御情報は、無線アクセスネットワークデバイスによって、端末デバイスの少なくとも1つのトランスポートブロックをスケジュールするために使用され、少なくとも1つのトランスポートブロックの各々は、少なくとも1つの符号化ブロックを含み、影響を受ける符号化ブロックは、少なくとも1つのトランスポートブロックにおける少なくとも1つの符号化ブロックである。
【００９９】
任意で、少なくとも1つのトランスポートブロックは、初期HARQ送信またはHARQ再送信におけるトランスポートブロックであってよい。
【０１００】
実施形態では、制御情報は、ダウンリンク制御チャネル上で搬送されてよい。任意で、制御情報は、TBを搬送するダウンリンクデータチャネルのリソース割当て情報、変調符号化方式およびHARQ等の制御情報を含んでよい。任意で、制御情報は、1つのサブフレーム内の1つのTBをスケジュールしてよく、または、複数のサブフレーム内の複数のTBをそれぞれスケジュールしてもよい。ここで言及されるサブフレームは概念的にはTBをスケジューリングするための最小時間粒度であり、ミニサブフレーム、スロットおよびミニスロット等の他の名前は将来の進化型LTEシステムまたはNRシステムにおいて使用され得るが、これらは本質的には同じであることは留意されるべきである。本発明における説明のための例としてサブフレームが使用される。
【０１０１】
任意で、制御情報および影響を受ける符号化ブロックの指示情報は、同じメッセージで搬送されてよい。例えば、影響を受ける符号化ブロックの指示情報および制御情報は、ダウンリンク制御チャネル上で搬送される。任意で、制御情報および影響を受ける符号化ブロックの指示情報はまた、異なるメッセージで搬送されてもよい。制御情報はダウンリンク制御チャネル上で搬送されるが、影響を受ける符号化ブロックの指示情報は、独立した制御チャネル上で搬送されてよい。
【０１０２】
実施形態では、少なくとも1つのトランスポートブロックがHARQ再送信におけるトランスポートブロックである場合、制御情報は、影響を受ける符号化ブロックの指示情報を搬送し、または、少なくとも1つのトランスポートブロックが初期HARQ送信におけるトランスポートブロックである場合、制御情報は、影響を受ける符号化ブロックの指示情報を搬送しない。別の実施形態では、少なくとも1つのトランスポートブロックはHARQ再送信におけるトランスポートブロックであり、影響を受ける符号化ブロックの指示情報は、制御情報内の変調および符号化指示フィールドにおいて搬送される。
【０１０３】
任意で、影響を受ける符号化ブロックは、トランスポートブロックの送信中に占有されるリソース内の他の送信情報によって上書きされるか、または他の送信情報からの干渉を受けるリソースに対応する符号化ブロックである。影響を受けることは、以下の方式を含んでよい（ただし、以下の有限の方式に限定されない）：
【０１０４】
(a) 無線アクセスネットワークデバイスによって送信されたTBにおける影響を受ける符号化ブロックのためのリソースは、他のサービスデータ（URLLC等）によって上書き（または書き換え）される。具体的には、無線アクセスネットワークデバイスは、影響を受ける符号化ブロックのためのリソース上で、送信されるべきである影響を受ける符号化ブロックの情報を送信しないが、そのリソース上で他のサービスデータの情報を送信する。
【０１０５】
(b) 無線アクセスネットワークデバイスによって送信されたTBにおける影響を受ける符号化ブロックのためのリソース上で送信された情報は、他のサービスデータ（URLLC等）からの干渉、すなわち重畳送信を受ける。具体的には、TB上で送信される情報は通常そのリソース上で送信され、他のサービスデータの情報はまた同じリソース上で送信される。
【０１０６】
S202. 端末デバイスは、影響を受ける符号化ブロックの指示情報に基づいて、影響を受ける符号化ブロックを決定する。
【０１０７】
端末デバイスは、無線アクセスネットワークデバイスによって送信された制御情報および影響を受ける符号化ブロックの指示情報を受信する。端末デバイスは、指示情報に基づいて、影響を受ける符号化ブロックを決定する。
【０１０８】
影響を受ける符号化ブロックの指示情報を受信した後、端末デバイスは、少なくとも1つのトランスポートブロックによって占有されるリソース量または少なくとも1つのトランスポートブロックに含まれる符号化ブロックの数に基づいて、影響を受ける符号化ブロックの指示情報を解析する。任意で、影響を受ける符号化ブロックの指示情報を解析する粒度は、少なくとも1つのトランスポートブロックによって占有されるリソース量または少なくとも1つのトランスポートブロックに含まれる符号化ブロックの数に基づいて決定されてよい。
【０１０９】
S203. 無線アクセスネットワークデバイスは、少なくとも1つのトランスポートブロックにおける影響を受ける符号化ブロック以外の少なくとも1つの符号化ブロックを端末デバイスに送信する。
【０１１０】
影響を受ける符号化ブロックはパンチされるか、または、干渉を受けることがあることは留意されるべきである。影響を受ける符号化ブロックがパンチされる場合、符号化およびコンステレーション変調された影響を受けるCBのマッピングされたリソースの一部または全ては、無線アクセスネットワークデバイスによって、他の緊急サービスを送信するために使用されてよい。具体的には、無線アクセスネットワークデバイスは、リソースの一部または全ての上で、符号化およびコンステレーション変調された影響を受けるCBの情報を送信しなくてよい。影響を受ける符号化ブロックが干渉を受ける場合、無線アクセスネットワークデバイスは依然として、通常、符号化およびコンステレーション変調された影響を受けるCBのマッピングされたリソース上で、符号化およびコンステレーション変調された影響を受けるCBの情報を送信するが、符号化およびコンステレーション変調された影響を受けるCBのマッピングされたリソースの一部または全ての上で、送信のために他の緊急サービスを重畳してもよい。
【０１１１】
S204. 端末デバイスは、制御情報と決定された影響を受ける符号化ブロックに基づいて、少なくとも1つのトランスポートブロックを受信する。
【０１１２】
実施形態では、少なくとも1つのトランスポートブロックがHARQ再送信におけるトランスポートブロックである場合、端末デバイスは、影響を受ける符号化ブロックに対応するデータに対してHARQコンバイニングを実行しない。
【０１１３】
別の実施形態では、少なくとも1つのトランスポートブロックが初期HARQ送信におけるトランスポートブロックであり、影響を受ける符号化ブロックが正しく受信されなかった場合、端末デバイスは、HARQバッファに、影響を受ける符号化ブロックに対応するデータを記憶しない。
【０１１４】
本実施形態では、影響を受ける符号化ブロックの指示情報は、明示的指示であっても暗黙的指示であってもよく、または、直接指示であっても間接指示であってもよい。影響を受ける符号化ブロックの指示情報は、複数のタイプの情報を含み得る。
【０１１５】
実施形態では、影響を受ける符号化ブロックの指示情報は影響を受ける符号化ブロックの識別子情報を含む。さらに、影響を受ける符号化ブロックの識別子情報は、(1)影響を受ける符号化ブロックのインデックス、または、(2)影響を受ける符号化ブロックのグループインデックス、または、(3)第1の符号化ブロックのインデックスであって、ここで、影響を受ける符号化ブロックは、シーケンス内の第1の符号化ブロックの前または後の符号化ブロックを含み、または、影響を受ける符号化ブロックは、第1の符号化ブロックおよびシーケンス内の第1の符号化ブロックの前または後の符号化ブロックを含む、第1の符号化ブロックのインデックス、または、(4)第1の符号化ブロックグループのインデックスであって、ここで、影響を受ける符号化ブロックは、シーケンス内の第1の符号化ブロックグループの前または後の符号化ブロックを含み、または、影響を受ける符号化ブロックは、第1の符号化ブロックグループおよびシーケンス内の第1の符号化ブロックグループの前または後の符号化ブロックを含む、第1の符号化ブロックグループのインデックスを含んでよい。第1の符号化ブロックはまた、参照符号化ブロックとして理解され得ることは留意されるべきである。
【０１１６】
別の実施形態では、影響を受ける符号化ブロックの指示情報は影響を受ける符号化ブロックに対応するリソースの識別子情報を含む。具体的には、影響を受ける符号化ブロックに対応するリソースの識別子情報は、(1)影響を受ける符号化ブロックに対応するリソースのインデックス、または、(2)影響を受ける符号化ブロックに対応するリソースのグループインデックス、または、(3)第1の符号化ブロックに対応するリソースのインデックスであって、ここで、影響を受ける符号化ブロックは、シーケンス内の第1の符号化ブロックの前または後の符号化ブロックを含み、または、影響を受ける符号化ブロックは、第1の符号化ブロックおよびシーケンス内の第1の符号化ブロックの前または後の符号化ブロックを含む、第1の符号化ブロックに対応するリソースのインデックス、または、(4)第1の符号化ブロックに対応するリソースグループのインデックスであって、ここで、影響を受ける符号化ブロックは、シーケンス内の第1の符号化ブロックグループの前または後の符号化ブロックを含み、または、影響を受ける符号化ブロックは、第1の符号化ブロックグループおよびシーケンス内の第1の符号化ブロックグループの前または後の符号化ブロックを含む、第1の符号化ブロックに対応するリソースグループのインデックスを含んでよい。第1の符号化ブロックに対応するリソースはまた、参照符号化ブロックに対応するリソースとして理解され得ることは留意されるべきである。任意で、影響を受ける符号化ブロックに対応するリソースは、トランスポートブロックの現在の送信中に影響を受けるCBによって占有されるリソースであってよく、または、現在の送信に対するトランスポートブロックの前の送信（本明細書では、前の送信は、トランスポートブロックの初期HARQ送信であってよく、または、トランスポートブロックの前のHARQ再送信であってよい）中に影響を受けるCBによって占有されたリソースであってよい。
【０１１７】
本実施形態におけるシーケンスは、時間シーケンス、周波数シーケンスまたは論理シーケンスであってよい。時間シーケンスについては、トランスポートブロックに含まれる複数の符号化ブロックは、リソースマッピング中に周波数-時間シーケンスにおいてマッピングされてよく、その結果、複数の符号化ブロックのリソースは時間シーケンスでマッピングされる。例えば、符号化ブロック1は、時間領域シンボル1および2にマッピングされ、符号化ブロック2は、時間領域シンボル3および4にマッピングされる。周波数-時間マッピング方式は単なる例であり、複数の符号化ブロックのリソースが時間シーケンスでマッピングされる解決手段を反映できるものである限り、他のマッピング方式が除外されないことは留意されるべきである。周波数シーケンスについては、トランスポートブロックに含まれる複数の符号化ブロックは、リソースマッピング中に時間-周波数シーケンスでマッピングされてよく、その結果、複数の符号化ブロックのリソースは周波数シーケンスでマッピングされる。例えば、符号化ブロック1は、周波数領域サブキャリア1から12にマッピングされ、符号化ブロック2は、周波数領域サブキャリア13および24にマッピングされる。時間-周波数マッピング方式は単なる例であり、同様の周波数シーケンスを達成できる限りは他の解決手段が除外されないことは同様に留意されるべきである。論理シーケンスについては、複数の符号化ブロックは、リソースマッピングの前に論理的に順序付けされることができるが、論理的順序付けはリソースマッピング中に変更され得る。具体的には、物理リソースマッピングは、論理的順序付けと物理リソースマッピングとの間の事前に設定された対応関係に基づいて実行される。
【０１１８】
別の実施形態では、影響を受ける符号化ブロックの指示情報は、影響を受ける符号化ブロックが存在するかどうかに関する情報を含んでよい。例えば、影響を受ける符号化ブロックの指示情報は2つの状態を示す。1つの状態は、「影響を受けない」、すなわち、パンチされない、または干渉を受けないことである。もう1つの状態は、「影響を受ける」、すなわち、パンチされる、または干渉を受けることである。この指示方式の粒度は最も粗い。具体的には、TB内のどのCBが影響を受けるのかが具体的に示されることはできず、または、TBがリソースのどの部分にマッピングされるのかが具体的に示されることはできないが、この指示方式はシグナリングオーバヘッドを最小化する。端末デバイスが、符号化ブロックが影響を受けると決定した場合、正しく受信されなかったいくつかのCBはパンチされておらず、または干渉を受けていないが、端末デバイスは、TBにおいて正しく受信されなかったCBのいずれに対してもHARQコンバイニングを実行しない。具体的には、例えば、影響を受ける符号化ブロックの指示情報は、1ビットの明示的指示または2つのスクランブリング方式の暗黙的指示である。他の同様の指示方法はいずれも限定されない。
【０１１９】
例えば、影響を受ける符号化ブロックの指示情報は影響を受ける符号化ブロックのインデックスを含む。1つのTBが4個のCBを含むと仮定すると、4個のビットは、4個のCBのうちのどの1つまたは複数が影響を受けるかを示すためにそれぞれ使用されてよく、他の明示的または暗黙的指示方式は限定されない。例えば、影響を受ける符号化ブロックの指示情報は、影響を受ける符号化ブロックのグループインデックスを含む。図3を参照すると、1つのTBは8個のCB、すなわち、4個のCBGを含み、4個のビットは、4個のCBGのうちのどの1つまたは複数が影響を受けるかを示すためにそれぞれ使用されてよい。具体的には、4個のビットの状態は‘1000’であり、すなわち、第1のCBGは影響を受ける。
【０１２０】
1つのTBは最大で数十のCB、例えば、64個のCBを含んでよく、64ビットの指示オーバヘッドは耐えられない。従って、オーバヘッドを低減するための方法は、影響を受ける符号化ブロックの指示情報は参照の影響を受けるCBを示すために使用され、次いで、端末デバイスは、事前に設定された規則を使用することによって、参照の影響を受けるCBと相関付けられた他の潜在的な影響を受けるCBを決定することである。他の潜在的な影響を受けるCBは、必ずしも影響を受けるCBではないことは留意されるべきである。具体的には、図4を例として使用すると、1つのTBが8個のCBを含み、図4に示される第3のCBが影響を受けるCBであると仮定すると、指示情報は、第3のCBが影響を受けるCBであることを示してよく、次いで、端末デバイスは、事前に設定された規則に従って、参照の影響を受けるCBの後のCBは全て潜在的に影響を受けるCBであり、すなわち、第6のCBは実際には影響を受けないが、第6のCBもまた影響を受けるCBとみなされる。しかしながら、第2のCBは影響を受けるCBではない。従って、TBの再送信スケジューリングを受信すると、端末デバイスは、第2のCBに対してHARQコンバイニングを実行するが、第3および第6のCBに対してHARQコンバイニングを実行しない。
【０１２１】
わかるように、事前に設定された規則は、参照の影響を受ける符号化ブロックに相関付けられた影響を受ける符号化ブロックは、参照の影響を受ける符号化ブロックと、シーケンス内の参照の影響を受ける符号化ブロックの前または後の影響を受ける符号化ブロックとを含む。本明細書では、シーケンスは絶対時間シーケンスおよび/または絶対周波数シーケンスであってよく、または論理インデックスシーケンスであってよいことは留意されるべきである。例えば、図4に示されるインデックスシーケンスはまた、CBがマッピングされる昇順の時間シーケンスとして理解され得る。
【０１２２】
影響を受ける符号化ブロックの指示情報はまた、影響を受ける符号化ブロックに対応するリソースの識別子情報を含んでよい。リソースは、時間領域リソースまたは周波数領域リソースであってよい。トランスポートブロックは、最終的に時間-周波数リソースにマッピングされる。例えば、制御情報が1つのサブフレームにおいて1つのTBをスケジュールすると仮定すると、サブフレームは、6個の時間スライスに分割されてよく、影響を受ける符号化ブロックの指示情報は、影響を受ける時間スライスとして1つまたは複数の時間スライスを示してよい。従って、端末デバイスは、影響を受ける時間スライスに基づいて、影響を受ける時間スライスにおいて基地局によってマッピングされるTB内のどのCBが影響を受けるCBであるかを判定することができ、さらに、再送信されたCBを受信したときに、影響を受けるCBに対してHARQコンバイニングを実行しないように決定することができる。他の態様に関する説明については、前述の実施形態を参照されたい。複数のサブフレームおよび他のリソースを分割する方式、例えば、2次元時間-周波数分割方式は限定されない。
【０１２３】
任意で、影響を受ける符号化ブロックの指示情報を解析する粒度は、少なくとも1つのトランスポートブロックによって占有されるリソースの数または少なくとも1つのトランスポートブロックに含まれる符号化ブロックの数に基づいて決定されてよい。
【０１２４】
固定数の状態の指示情報、例えば、4ビットの16個の状態を使用すると、例として、制御情報が2個のサブフレームのダウンリンクデータをスケジュールする場合、ここで、各サブフレームが1つのTBを含み、1つのTBは6個のCBを含む場合、影響を受ける符号化ブロックの指示情報の最初の2個のビットは、第1のサブフレームにおける影響を受けるCBまたはCBGの解析を示すために使用され、影響を受ける符号化ブロックの指示情報の最後の2個のビットは、第2のサブフレームにおける影響を受けるCBまたはCBGの解析を示すために使用される。具体的には、各サブフレームは、1 CBG = 2 CBの粒度に基づいて示される。第1のサブフレームについて、影響を受ける符号化ブロックの指示情報の最初の2個のビットの状態‘00’は「影響を受けない」ことを示し、‘01’は第1のCBGは参照の影響を受けるCBGであることを示し、‘10’は第2のCBGは参照の影響を受けるCBGであることを示し、‘11’は第3のCBGは参照の影響を受けるCBGであることを示す。第2のサブフレームを示すための方法は同様である。制御情報が1つのサブフレームのダウンリンクデータをスケジュールする場合、4ビットの指示が、CB粒度に基づいて提供されてよい。具体的には、‘0000’は「影響を受けない」ことを示し、‘0001’から‘0110’は第1のCBから第6のCBのうちのいずれかが参照の影響を受けるCBであることを示す。
【０１２５】
固定数の状態の指示情報、例えば、4ビットの16個の状態を使用すると、例として、制御情報が2個のサブフレームのダウンリンクデータをスケジュールする場合、ここで、各サブフレームが6個の時間スライスを含み、影響を受ける符号化ブロックの指示情報の最初の2個のビットは、第1のサブフレームにおける影響を受ける時間スライスの解析を示すために使用され、影響を受ける符号化ブロックの指示情報の最後の2個のビットは、第2のサブフレームにおける影響を受ける時間スライスの解析を示すために使用される。具体的には、各サブフレームは、1 時間スライスグループ = 2 時間スライスの粒度に基づいて示される。第1のサブフレームについて、影響を受ける符号化ブロックの指示情報の最初の2個のビットの状態‘00’は「影響を受けない」ことを示し、‘01’は第1の時間スライスグループは参照の影響を受ける時間スライスグループであることを示し、‘10’は第2の時間スライスグループは参照の影響を受ける時間スライスグループであることを示し、‘11’は第3の時間スライスグループは参照の影響を受ける時間スライスグループであることを示す。第2のサブフレームを示すための方法は同様である。制御情報が1つのサブフレームのダウンリンクデータをスケジュールする場合、4ビットの指示が、時間スライス粒度に基づいて提供されてよい。具体的には、‘0000’は「影響を受けない」ことを示し、‘0001’から‘0110’は第1のCBから第6のCBのうちのいずれかが参照の影響を受ける時間スライスであることを示す。時間スライスが示される場合、端末デバイスは、時間スライスにマッピングされたCBまたはCBGを決定することができ、すなわち、影響を受けるCBまたはCBGを決定することができる。
【０１２６】
本実施形態では、無線アクセスネットワークデバイスは、影響を受ける符号化ブロックを端末デバイスに示すため、端末デバイスは、影響を受ける符号化ブロックをバッファしなくてよく、または、端末デバイスは、影響を受ける符号化ブロックに対応するデータに対してHARQコンバイニングを実行しない。このことは、HARQバッファ汚染問題を解決し、短期間バースト干渉のシナリオにおいてデータ送信効率を保証する。本実施形態は、バーストURLLCサービスの低遅延要件を保証し、URLCCとeMBBサービス間の効率性が高く柔軟な多重化を解決する。
【０１２７】
図5を参照すると、本発明に係るデータ送信方法の別の実施形態では、影響を受ける符号化ブロックの指示情報は、HARQ再送信におけるトランスポートブロックに対応する制御情報において搬送される。方法は以下のステップを含む。
【０１２８】
S501. 無線アクセスネットワークデバイスは、制御情報を端末デバイスに送信し、ここで、制御情報は、無線アクセスネットワークデバイスによって、端末デバイスの少なくとも1つのトランスポートブロックをスケジュールするために使用され、少なくとも1つのトランスポートブロックの各々は、少なくとも1つの符号化ブロックを含む。
【０１２９】
端末デバイスは制御情報を受信する。
【０１３０】
S502. 無線アクセスネットワークデバイスは、少なくとも1つのトランスポートブロックを端末デバイスに送信し、端末デバイスは、制御情報に基づいて、少なくとも1つのトランスポートブロックを受信する。
【０１３１】
S503. 端末デバイスは、ACKまたはNACKを無線アクセスネットワークデバイスにフィードバックする。
【０１３２】
端末デバイスは、トランスポートブロックの受信状態に基づいて、ACKまたはNACKを無線アクセスネットワークデバイスにフィードバックする。
【０１３３】
S504. NACKフィードバックを受信すると、無線アクセスネットワークデバイスは、再送信制御情報を端末デバイスに送信し、ここで、再送信制御情報は、無線アクセスネットワークデバイスによって、端末デバイスの少なくとも1つのトランスポートブロックをスケジュールするために使用され、少なくとも1つのトランスポートブロックの各々は、少なくとも1つの符号化ブロックを含み、再送信制御情報は、影響を受ける符号化ブロックの指示情報を含み、影響を受ける符号化ブロックは、少なくとも1つのトランスポートブロックにおける少なくとも1つの符号化ブロックである。
【０１３４】
制御情報、影響を受ける符号化ブロックおよび影響を受ける符号化ブロックの指示情報、および送信方法に関する詳細については、前述の実施形態における関連する説明を参照されたい。
【０１３５】
S505. 端末デバイスは、再送信制御情報を受信し、再送信制御情報における影響を受ける符号化ブロックの指示情報に基づいて、影響を受ける符号化ブロックを決定する。
【０１３６】
端末デバイスによって、影響を受ける符号化ブロックの指示情報を解析するための方法については、前述の実施形態における関連する説明を参照されたい。
【０１３７】
S506. 無線アクセスネットワークデバイスは、再送信された影響を受ける符号化ブロックを端末デバイスに送信し、端末デバイスは、再送信された符号化ブロックを受信し、再送信された符号化ブロックを使用して、データ回復を実行する。
【０１３８】
端末デバイスは、HARQコンバイニングを実行する代わりに、再送信された符号化ブロックを直接使用する。
【０１３９】
あるいは、別の実施形態では、影響を受ける符号化ブロックの指示情報は、制御情報に含まれなくてよい。例えば、制御情報はダウンリンク制御チャネル上で搬送され、制御情報は、少なくとも1つのトランスポートブロックをスケジュールするために使用される。しかしながら、影響を受ける符号化ブロックの指示情報は、独立した制御チャネル上で、すなわち、制御情報と独立して、従って、ダウンリンク制御チャネルとも独立して搬送されてよい。
【０１４０】
本実施形態では、影響を受ける符号化ブロックの指示情報は、再送信スケジューリングにのみ存在する。具体的には、初期送信スケジューリングについては、影響を受ける符号化ブロックの指示情報は必要とされない。一般に、URLLCサービスは、eMBBの制御情報およびデータ情報が送信され始めた後にのみ、eMBBサービスをパンチし、すなわち、eMBBを途中でパンチする可能性が高い。しかしながら、eMBBのダウンリンクデータをスケジューリングするとき、無線アクセスネットワークデバイスは、eMBBサービスがURLLC緊急サービスによって途中でパンチされることを予測することができない。
【０１４１】
再送信スケジューリングにおける影響を受ける符号化ブロックの指示情報の設計については、好ましくは、制御情報内のMCSフィールドが再利用されてよい。他の指示方式は、例えば、新しいビットまたはスクランブリングコードを使用すること、または、MCSフィールド以外の変換HARQプロセス番号指示フィールドを再利用することは、いずれも限定されない。以下では、制御情報におけるMCSフィールドを再利用する実施形態を説明する。表1は、現在のMCSフィールドを解析するための規則を示す。わかるように、現在のMCSフィールドは5ビットであり、32個の状態を示し、ここで、状態インデックス0から28は29個のMCSレベルを示し、負荷インデックスを問い合わせるために使用されるが、3個の状態、すなわち、MCSインデックス29から31は、主に、再送信スケジューリング中に変調次数を変更するために使用される。加えて、初期送信スケジューリングについては、制御情報内のMCSインデックス0から28および時間-周波数リソース割当てフィールドは負荷サイズを決定するために併せて使用される。再送信スケジューリングについては、負荷は初期送信における負荷と一致している必要があるが、現在再送信されているTBによって占有される時間-周波数リソースは、制御情報内の専用フィールドによって示される。従って、再送信スケジューリングについては、少なくともMCSインデックス0から28は冗長であり、MCSインデックス29から31もまた、再送信中に変調次数を変更する機能のみを有する。しかしながら、一般に、再送信中に変調次数を変更することはそれほど必要ではなく、従って、MCSインデックス29から31はまた冗長であると考えられ得る。
【０１４２】
従って、少なくとも1つのトランスポートブロックがHARQ再送信におけるトランスポートブロックである場合、影響を受ける符号化ブロックの指示情報は、制御情報内の変調および符号化指示フィールド内の一部または全ての状態を含み、変調および符号化指示フィールドは、少なくとも1つのトランスポートブロックの初期HARQ送信中に、端末デバイスに、初期HARQ送信における少なくとも1つのトランスポートブロックのための変調および符号化方式を示すために使用される。
【０１４３】
【表１】
2019535190.tif 000003
2019535190.tif 000004
【０１４４】
図6を参照すると、本発明に係るデータ送信方法の別の実施形態では、影響を受ける符号化ブロックの指示情報は、初期HARQ送信におけるトランスポートブロックに対応する制御情報において搬送される。方法は以下のステップを含む。
【０１４５】
S601. 無線アクセスネットワークデバイスは、制御情報を端末デバイスに送信し、ここで、制御情報は、無線アクセスネットワークデバイスによって、端末デバイスの少なくとも1つのトランスポートブロックをスケジュールするために使用され、少なくとも1つのトランスポートブロックの各々は、少なくとも1つの符号化ブロックを含み、制御情報は、影響を受ける符号化ブロックの指示情報を含み、影響を受ける符号化ブロックは、少なくとも1つのトランスポートブロック内の少なくとも1つの符号化ブロックである。
【０１４６】
制御情報、影響を受ける符号化ブロックおよび影響を受ける符号化ブロックの指示情報、および送信方法に関する詳細については、前述の実施形態における関連する説明を参照されたい。
【０１４７】
S602. 端末デバイスは、影響を受ける符号化ブロックの指示情報に基づいて、影響を受ける符号化ブロックを決定する。
【０１４８】
端末デバイスは、制御情報を受信し、影響を受ける符号化ブロックの指示情報に基づいて、影響を受ける符号化ブロックを決定する。
【０１４９】
端末デバイスによって、影響を受ける符号化ブロックの指示情報を解析するための方法については、前述の実施形態における関連する説明を参照されたい。
【０１５０】
S603. 無線アクセスネットワークデバイスは、トランスポートブロックを端末デバイスに送信し、端末デバイスはトランスポートブロックを受信するが、影響を受ける符号化ブロックをトランスポートブロックにバッファしない。
【０１５１】
S604. 端末デバイスは、ACKまたはNACKを無線アクセスネットワークデバイスにフィードバックする。
【０１５２】
端末デバイスは、トランスポートブロックの受信状態に基づいて、ACKまたはNACKを無線アクセスネットワークデバイスにフィードバックする。
【０１５３】
S605. NACKフィードバックを受信した後、無線アクセスネットワークデバイスは、再送信制御情報を端末デバイスに送信し、ここで、再送信制御情報は、無線アクセスネットワークデバイスによって、端末デバイスの少なくとも1つのトランスポートブロックをスケジュールするために使用され、少なくとも1つのトランスポートブロックの各々は、少なくとも1つの符号化ブロックを含む。
【０１５４】
端末デバイスは、再送信制御情報を受信する。
【０１５５】
S606. 無線アクセスネットワークデバイスは、影響を受ける符号化ブロックを端末デバイスに送信し、端末デバイスは、影響を受ける符号化ブロックを受信し、影響を受ける符号化ブロックを使用して、データ回復を実行する。
【０１５６】
端末デバイスは、初期送信におけるCB情報とのHARQコンバイニングを実行する代わりに、再送信されたCBを直接使用する。
【０１５７】
あるいは、別の実施形態では、影響を受ける符号化ブロックの指示情報は、制御情報に含まれなくてよい。例えば、制御情報はダウンリンク制御チャネル上で搬送され、制御情報は、少なくとも1つのトランスポートブロックをスケジュールするために使用される。しかしながら、影響を受ける符号化ブロックの指示情報は、独立した制御チャネル上で、すなわち、制御情報と独立して、従って、ダウンリンク制御チャネルとも独立して搬送されてよい。
【０１５８】
本実施形態では、影響を受けるCBの情報は初期送信において示され、その結果、端末デバイスは、影響を受けるCBを最初からバッファしない。さらに、HARQバッファ汚染問題は他の実施形態を参照して、例えば、CBレベルの確認応答または否定応答情報フィードバックを参照して解決されることができ、または、HARQ再送信効率は他の実施形態を参照して向上することができる。
【０１５９】
前述の方法に対応して、本発明は端末デバイスを提供する。端末デバイスは、無線システムにおいて短期間バースト干渉が生じるシナリオに適用されてよく、端末デバイスは、前述の方法の実施形態における各ステップを実行することができる。
【０１６０】
図7を参照すると、実施形態では、端末デバイスは、
無線アクセスネットワークデバイスによって送信された制御情報および影響を受ける符号化ブロックの指示情報を受信するように構成される受信ユニット701であって、ここで、制御情報は、無線アクセスネットワークデバイスによって、端末デバイスの少なくとも1つのトランスポートブロックをスケジュールするために使用され、少なくとも1つのトランスポートブロックの各々は、少なくとも1つの符号化ブロックを含み、影響を受ける符号化ブロックは、少なくとも1つのトランスポートブロックにおける少なくとも1つの符号化ブロックである、受信ユニット701と、
影響を受ける符号化ブロックの指示情報に基づいて、影響を受ける符号化ブロックを決定するように構成される処理ユニット702とを含み、ここで、
受信ユニット701は、制御情報と決定された影響を受ける符号化ブロックに基づいて、少なくとも1つのトランスポートブロックを受信するようにさらに構成される。
【０１６１】
制御情報、影響を受ける符号化ブロックおよび影響を受ける符号化ブロックの指示情報、および送信方法に関する詳細については、前述の実施形態における関連する説明を参照されたい。
【０１６２】
任意で、少なくとも1つのトランスポートブロックがHARQ再送信におけるトランスポートブロックである場合、制御情報は、影響を受ける符号化ブロックの指示情報を搬送し、または、少なくとも1つのトランスポートブロックが初期HARQ送信におけるトランスポートブロックである場合、制御情報は、影響を受ける符号化ブロックの指示情報を搬送しない。
【０１６３】
任意で、少なくとも1つのトランスポートブロックはHARQ再送信におけるトランスポートブロックであり、影響を受ける符号化ブロックの指示情報は、制御情報内の変調および符号化指示フィールドにおいて搬送される。具体的な設計については、前述の実施形態における関連する説明を参照されたい。
【０１６４】
任意で、少なくとも1つのトランスポートブロックがHARQ再送信におけるトランスポートブロックである場合、受信ユニットは、少なくとも1つのトランスポートブロックを受信し、影響を受ける符号化ブロックに対応するデータに対してHARQコンバイニングの実行をスキップするように構成される。
【０１６５】
任意で、端末デバイスは、
無線アクセスネットワークデバイスに第1の指示情報を送信するように構成される送信ユニット703であって、ここで、第1の指示情報は、第2の符号化ブロックが正しく受信されたかどうかを示し、第2の符号化ブロックは、少なくとも1つの符号化ブロックにおける影響を受ける符号化ブロック以外の符号化ブロックであり、第1の指示情報に含まれるビット数は、第2の符号化ブロックの数未満である、送信ユニット703をさらに含む。
【０１６６】
第1の指示情報および送信方法に関する詳細については、前述の実施形態における関連する説明を参照されたい。
【０１６７】
図8を参照すると、別の実施形態では、端末デバイスは、
無線アクセスネットワークデバイスによって送信された制御情報および影響を受ける符号化ブロックの指示情報を受信するように構成される受信機801であって、ここで、制御情報は、無線アクセスネットワークデバイスによって、端末デバイスの少なくとも1つのトランスポートブロックをスケジュールするために使用され、少なくとも1つのトランスポートブロックの各々は、少なくとも1つの符号化ブロックを含み、影響を受ける符号化ブロックは、少なくとも1つのトランスポートブロックにおける少なくとも1つの符号化ブロックである、受信機801と、
影響を受ける符号化ブロックの指示情報に基づいて、影響を受ける符号化ブロックを決定するように構成されるプロセッサ802とを含み、ここで、
受信機801は、制御情報と決定された影響を受ける符号化ブロックに基づいて、少なくとも1つのトランスポートブロックを受信するようにさらに構成される。
【０１６８】
制御情報、影響を受ける符号化ブロックおよび影響を受ける符号化ブロックの指示情報、および送信方法に関する詳細については、前述の実施形態における関連する説明を参照されたい。
【０１６９】
任意で、端末デバイスは、
無線アクセスネットワークデバイスに第1の指示情報を送信するように構成される送信機803であって、ここで、第1の指示情報は、第2の符号化ブロックが正しく受信されたかどうかを示し、第2の符号化ブロックは、少なくとも1つの符号化ブロックにおける影響を受ける符号化ブロック以外の符号化ブロックであり、第1の指示情報に含まれるビット数は、第2の符号化ブロックの数未満である、送信機803をさらに含む。
【０１７０】
第1の指示情報および送信方法に関する詳細については、前述の実施形態における関連する説明を参照されたい。
【０１７１】
本実施形態におけるプロセッサは、前述の方法の実施形態におけるステップを実行することができる。詳細については、前述の方法の実施形態を参照されたい。
【０１７２】
前述の方法に対応して、本発明は無線アクセスネットワークデバイスを提供する。無線アクセスネットワークデバイスは、無線システムにおいて短期間バースト干渉が生じるシナリオに適用されてよく、無線アクセスネットワークデバイスは、前述の方法の実施形態における各ステップを実行することができる。
【０１７３】
図9を参照すると、実施形態では、無線アクセスネットワークデバイスは、
制御情報および影響を受ける符号化ブロックの指示情報を端末デバイスに送信するように構成される送信ユニット901であって、ここで、制御情報は、無線アクセスネットワークデバイスによって、端末デバイスの少なくとも1つのトランスポートブロックをスケジュールするために使用され、少なくとも1つのトランスポートブロックの各々は、少なくとも1つの符号化ブロックを含み、影響を受ける符号化ブロックは、少なくとも1つのトランスポートブロックにおける少なくとも1つの符号化ブロックである、送信ユニット901を含み、ここで、
送信ユニット901は、少なくとも1つのトランスポートブロックにおける影響を受ける符号化ブロック以外の少なくとも1つの符号化ブロックを端末デバイスに送信するようにさらに構成される。
【０１７４】
制御情報、影響を受ける符号化ブロックおよび影響を受ける符号化ブロックの指示情報、および送信方法に関する詳細については、前述の実施形態における関連する説明を参照されたい。
【０１７５】
任意で、無線アクセスネットワークデバイスは、処理ユニット902を含み、処理ユニット902は、制御情報および影響を受ける符号化ブロックの指示情報を送信するように決定するように構成される。
【０１７６】
任意で、少なくとも1つのトランスポートブロックがHARQ再送信におけるトランスポートブロックである場合、制御情報は、影響を受ける符号化ブロックの指示情報を搬送し、または、少なくとも1つのトランスポートブロックが初期HARQ送信におけるトランスポートブロックである場合、制御情報は、影響を受ける符号化ブロックの指示情報を搬送しない。
【０１７７】
さらに、少なくとも1つのトランスポートブロックはHARQ再送信におけるトランスポートブロックであり、影響を受ける符号化ブロックの指示情報は、制御情報内の変調および符号化指示フィールドにおいて搬送される。
【０１７８】
任意で、無線アクセスネットワークデバイスは、
端末デバイスから送信された第1の指示情報を受信するように構成される受信ユニット903であって、ここで、第1の指示情報は、第2の符号化ブロックが正しく受信されたかどうかを示し、第2の符号化ブロックは、少なくとも1つの符号化ブロックにおける影響を受ける符号化ブロック以外の符号化ブロックであり、第1の指示情報に含まれるビット数は、第2の符号化ブロックの数未満である、受信ユニット903をさらに含む。
【０１７９】
第1の指示情報および送信方法に関する詳細については、前述の実施形態における関連する説明を参照されたい。
【０１８０】
図10を参照すると、別の実施形態では、無線アクセスネットワークデバイスは、
制御情報および影響を受ける符号化ブロックの指示情報を端末デバイスに送信するように構成される送信機1001であって、ここで、制御情報は、無線アクセスネットワークデバイスによって、端末デバイスの少なくとも1つのトランスポートブロックをスケジュールするために使用され、少なくとも1つのトランスポートブロックの各々は、少なくとも1つの符号化ブロックを含み、影響を受ける符号化ブロックは、少なくとも1つのトランスポートブロックにおける少なくとも1つの符号化ブロックである、送信機1001を含み、ここで、
送信機1001は、少なくとも1つのトランスポートブロックにおける影響を受ける符号化ブロック以外の少なくとも1つの符号化ブロックを端末デバイスに送信するようにさらに構成される。
【０１８１】
制御情報、影響を受ける符号化ブロックおよび影響を受ける符号化ブロックの指示情報、および送信方法に関する詳細については、前述の実施形態における関連する説明を参照されたい。
【０１８２】
任意で、無線アクセスネットワークデバイスは、プロセッサ1002を含み、プロセッサ1002は、制御情報および影響を受ける符号化ブロックの指示情報を送信するように決定するように構成される。
【０１８３】
任意で、少なくとも1つのトランスポートブロックがHARQ再送信におけるトランスポートブロックである場合、制御情報は、影響を受ける符号化ブロックの指示情報を搬送し、または、少なくとも1つのトランスポートブロックが初期HARQ送信におけるトランスポートブロックである場合、制御情報は、影響を受ける符号化ブロックの指示情報を搬送しない。
【０１８４】
さらに、少なくとも1つのトランスポートブロックはHARQ再送信におけるトランスポートブロックであり、影響を受ける符号化ブロックの指示情報は、制御情報内の変調および符号化指示フィールドにおいて搬送される。
【０１８５】
任意で、無線アクセスネットワークデバイスは、
端末デバイスから送信された第1の指示情報を受信するように構成される受信機1003であって、ここで、第1の指示情報は、第2の符号化ブロックが正しく受信されたかどうかを示し、第2の符号化ブロックは、少なくとも1つの符号化ブロックにおける影響を受ける符号化ブロック以外の符号化ブロックであり、第1の指示情報に含まれるビット数は、第2の符号化ブロックの数未満である、受信機1003をさらに含む。
【０１８６】
第1の指示情報および送信方法に関する詳細については、前述の実施形態における関連する説明を参照されたい。
【０１８７】
別の実施形態では、部分CBがパンチされるため、TB全体の再送信によって引き起こされる低効率の課題を解決するために、端末デバイスは、影響を受けるCBおよび他のCBに対して異なる処理を実行し、ACKまたはNACKを別々にフィードバックする。
【０１８８】
図11を参照すると、本発明に係るデータ送信方法の別の実施形態は以下のステップを含む。
【０１８９】
S1101. 無線アクセスネットワークデバイスは、制御情報および影響を受ける符号化ブロックの指示情報を端末デバイスに送信し、ここで、制御情報は、無線アクセスネットワークデバイスによって、端末デバイスの少なくとも1つのトランスポートブロックをスケジュールするために使用され、少なくとも1つのトランスポートブロックの各々は、少なくとも1つの符号化ブロックを含み、影響を受ける符号化ブロックは、少なくとも1つのトランスポートブロックにおける少なくとも1つの符号化ブロックである。
【０１９０】
トランスポートブロック、制御情報、影響を受ける符号化ブロックおよび影響を受ける符号化ブロックの指示情報、および送信方法に関する詳細については、前述の実施形態における関連する説明を参照されたい。
【０１９１】
S1102. 端末デバイスは、無線アクセスネットワークデバイスによって送信された制御情報および影響を受ける符号化ブロックの指示情報を受信する。
【０１９２】
S1103. 無線アクセスネットワークデバイスは、少なくとも1つのトランスポートブロックにおける影響を受ける符号化ブロック以外の少なくとも1つの符号化ブロックを端末デバイスに送信する。
【０１９３】
端末デバイスは、制御情報に基づいて、少なくとも1つのトランスポートブロックを受信する。
【０１９４】
S1104. 端末デバイスは、影響を受ける符号化ブロックの指示情報に基づいて、影響を受ける符号化ブロックを決定する。
【０１９５】
ステップ1103とステップ1104との間に厳密な順序はないことは理解されるべきである。
【０１９６】
S1105. 端末デバイスは、無線アクセスネットワークデバイスに第1の指示情報を送信し、ここで、第1の指示情報は、第2の符号化ブロックが正しく受信されたかどうかを示し、第2の符号化ブロックは、少なくとも1つの符号化ブロックにおける影響を受ける符号化ブロック以外の符号化ブロックであり、第1の指示情報に含まれるビット数は、第2の符号化ブロックの数未満である。
【０１９７】
さらに、無線アクセスネットワークデバイスは、端末デバイスによって送信された第1の指示情報を受信する。
【０１９８】
実施形態では、全ての第2の符号化ブロックが正しく受信された場合、端末デバイスは、Nビットの確認応答情報（ACK）を無線アクセスネットワークデバイスに送信し、または、少なくとも1つの第2の符号化ブロックが正しく受信されなかった場合、端末デバイスは、Nビットの否定応答情報（NACK）を無線アクセスネットワークデバイスに送信し、ここで、Nは第2の符号化ブロックの数未満の正の整数である。
【０１９９】
実施形態では、第1の指示情報に含まれるビット数は、第2の符号化ブロックの数未満である。具体的には、第2の符号化ブロックのための確認応答または否定応答ビットを別々にフィードバックするオーバヘッドが比較的高いこと、複数の符号化ブロックは符号化ブロックが正しく受信されたかどうかに関しておそらく相関することを考慮すると、第2の符号化ブロックの数に対応する確認応答または否定応答ビットのオーバヘッドを低減することが考慮され得る。例えば、フィードバックのための部分符号化ブロックの確認応答または否定応答情報を束ねること等の解決手段が使用される。例えば、16個の第2の符号化ブロックがあり、8個の符号化ブロック毎にグループ化されてもよい。このケースでは、2つの確認応答または否定応答ビットのみがフィードバックされる必要がある。
【０２００】
別の実施形態では、第1の指示情報内のビット数は1であり、端末デバイスが第1の指示情報を無線アクセスネットワークデバイスに送信することは、第2の符号化ブロックの全てが正しく受信された場合、端末デバイスは、確認応答ビットを無線アクセスネットワークデバイスに送信し、または、少なくとも1つの第2の符号化ブロックが正しく受信されなかった場合、端末デバイスは、否定応答ビットを無線アクセスネットワークデバイスに送信することを含む。
【０２０１】
本実施形態では、端末デバイスは、TB内の影響を受ける符号化ブロックが正しく受信されたかどうか、および別の符号化ブロック（すなわち、第2の符号化ブロック）が正しく受信されたかどうかを別々にフィードバックする。実施では、端末デバイスは、第1の指示情報と第2の指示情報を、無線アクセスネットワークデバイスに別々に送信してよく、ここで、第1の指示情報は、第2の符号化ブロックが正しく受信されたかどうかを示すために使用され、第2の指示情報は、影響を受ける符号化ブロックが正しく受信されたかどうかを示すために使用される。任意で、第1の指示情報のフィードバックを束ねることと同様に、同様の解決手段がまた、第2の指示情報を送信するために使用されてもよい。具体的には、第2の指示情報に含まれるビット数は、影響を受ける符号化ブロックの数未満である。別の実施形態では、端末デバイスは、第1の指示情報のみを無線アクセスネットワークデバイスに送信してよいが、無線アクセスネットワークデバイスに、影響を受ける符号化ブロックが正しく受信されたかどうかに関する指示情報を送信しない。影響を受ける符号化ブロックが正しく受信されない確率は比較的高いため、NACKがデフォルトで考慮されてよく、明示的なフィードバックは提供されず、それによって、シグナリングオーバヘッドを低減する。
【０２０２】
実施形態では、全ての影響を受ける符号化ブロックが正しく受信された場合、端末デバイスは、Nビットの確認応答情報（ACK）を無線アクセスネットワークデバイスに送信し、または、少なくとも1つの影響を受ける符号化ブロックが正しく受信されなかった場合、端末デバイスは、Nビットの否定応答情報（NACK）を無線アクセスネットワークデバイスに送信し、ここで、Nは影響を受ける符号化ブロックの数未満の正の整数である。
【０２０３】
別の実施形態では、第2の指示情報内のビット数は1であり、端末デバイスが第2の指示情報を無線アクセスネットワークデバイスに送信することは、影響を受ける符号化ブロックの全てが正しく受信された場合、端末デバイスは、確認応答ビットを無線アクセスネットワークデバイスに送信し、または、少なくとも1つの影響を受ける符号化ブロックが正しく受信されなかった場合、端末デバイスは、否定応答ビットを無線アクセスネットワークデバイスに送信することを含む。
【０２０４】
任意で、方法は、無線アクセスネットワークデバイスは、第1の指示情報を受信し、第1の指示情報に基づいて、第2の符号化ブロックを再送信するかどうかを判定することをさらに含む。具体的には、第1の指示情報が確認応答情報(ACK)である場合、第2の符号化ブロックは再送信される必要はなく、または、第1の指示情報が否定応答情報（NACK）である場合、第2の符号化ブロックは再送信される。
【０２０５】
任意で、方法は、無線アクセスネットワークデバイスは、第2の指示情報を受信し、第2の指示情報に基づいて、影響を受ける符号化ブロックを再送信するかどうかを判定することをさらに含む。具体的には、第2の指示情報が確認応答情報(ACK)である場合、影響を受ける符号化ブロックは再送信される必要はなく、または、第2の指示情報が否定応答情報（NACK）である場合、影響を受ける符号化ブロックは再送信される。
【０２０６】
実施形態では、無線アクセスネットワークデバイスは、第1の指示情報および第2の指示情報を受信し、第1の指示情報および第2の指示情報に基づいて、第2の符号化ブロックおよび影響を受ける符号化ブロックを別々に再送信するかどうかを判定する。
【０２０７】
別の実施形態では、無線アクセスネットワークデバイスは、第1の指示情報のみを受信し、第1の指示情報に基づいて、影響を受ける符号化ブロックを再送信するかどうかを判定する。無線アクセスネットワークデバイスは、第2の指示情報を受信しないが、デフォルトで影響を受ける符号化ブロックのために否定応答情報を考慮し、影響を受ける符号化ブロックを再送信する。影響を受ける符号化ブロックが正しく受信されない可能性は比較的高いため、NACKがデフォルトで考慮されてよく、明示的なフィードバックは提供されず、それによって、シグナリングを低減する。
【０２０８】
任意で、方法はさらに以下を含む：
【０２０９】
S1106. 端末デバイスは、制御情報および決定された影響を受ける符号化ブロックに基づいて、少なくとも1つのトランスポートブロックを受信する。
【０２１０】
このステップの具体的な実施については、図2におけるステップS204の関連する説明を参照されたい。
【０２１１】
任意で、方法は、
端末デバイスは、第2の符号化ブロックにおいて正しく受信されず、無線アクセスネットワークデバイスによって再送信された符号化ブロックを受信し、または、
端末デバイスは、影響を受ける符号化ブロックと、第2の符号化ブロックにおいて正しく受信されず、無線アクセスネットワークデバイスによって再送信された符号化ブロックとを受信することをさらに含む。
【０２１２】
現在、ACKまたはNACKはTBに基づいてフィードバックされる。具体的には、TB内の少なくとも1つのCBが正しく受信されない限り、端末デバイスは、TBに関して1ビットのNACKをフィードバックする。無線アクセスネットワークデバイスは、特に、パンチされていないCBがチャネルフェージング等の理由により正しく受信されないことがあることを考慮すると、TB内のどの1つまたは複数のCBが端末デバイスによって正しく受信されなかったかを知ることはできない。従って、基地局は、TB全体を再送信することしか選択できない。
【０２１３】
しかしながら、本実施形態では、eMBBサービスがURLLCサービスによってパンチされるシナリオについては、パンチされたCBが正しく受信されない可能性が高いが、従来技術とは異なり、どのCBが正しく受信されなかったかがチャネルのランダム性に依存する。従って、パンチングによって影響を受けるCBとパンチングによって影響を受けないCBの処理は異なり、ACKまたはNACKは別々にフィードバックされる。例えば、TBが8個のCBを含み、6個のCBがパンチされず、CB 1からCB 6としてマークされると仮定すると、残りの2つのCBはパンチされ、CB 7およびCB 8とマークされる。任意で、端末デバイスは、TBに関して2つのビットを報告し、ここで、1つのビットはCB 7およびCB 8に関し、CB 7およびCB 8は基本的に正しく受信されないため、このビットは基本的にNACKである。CB 1からCB 6は全て正しく受信されると仮定すると、1ビットのACKがフィードバックされ、または、CB 1からCB 6のうちの少なくとも1つが正しく受信されない場合、1ビットのNACKがフィードバックされる。任意で、端末デバイスは、影響を受けるCBに関してACKまたはNACKをフィードバックしなくてよいが、他のCBに関してのみフィードバックを提供する。具体的には、CB 7およびCB 8は基本的に正しく受信されないため、CB 7およびCB 8に関してACKまたはNACKはフィードバックされないが、CB 1からCB 6に関して1ビットのACKまたはNACKがフィードバックされる。
【０２１４】
図2、図5および図6に対応する方法の実施形態は、図11に対応する方法の実施形態と組み合わされてよいことは理解されるべきである。例えば、図2、図5および図6に対応する方法の実施形態は、端末デバイスが、無線アクセスネットワークデバイスに第1の指示情報を送信し、ここで、第1の指示情報は、第2の符号化ブロックが正しく受信されたかどうかを示し、第2の符号化ブロックは、少なくとも1つの符号化ブロックにおける影響を受ける符号化ブロック以外の符号化ブロックであり、第1の指示情報に含まれるビット数は、第2の符号化ブロックの数未満であるというステップS1108をさらに含んでよい。あるいは、図2、図5および図6に対応する方法の実施形態は、端末デバイスが、第1の指示情報および第2の指示情報を無線アクセスネットワークデバイスに別々に送信してよく、ここで、第1の指示情報は、第2の符号化ブロックが正しく受信されたかどうかを示すために使用され、第2の指示情報は、影響を受ける符号化ブロックが正しく受信されたかどうかを示すために使用されるという、ステップS1109をさらに含んでよい。ステップS1108およびステップS1109の具体的な実施については、図11におけるステップS1105の関連する説明を参照されたい。
【０２１５】
前述の方法に対応して、本発明は端末デバイスを提供する。端末デバイスは、無線システムにおいて短期間バースト干渉が生じるシナリオに適用されてよく、端末デバイスは、前述の方法の実施形態における各ステップを実行することができる。
【０２１６】
図12を参照すると、実施形態では、端末デバイスは、
無線アクセスネットワークデバイスによって送信された制御情報および影響を受ける符号化ブロックの指示情報を受信するように構成され、ここで、制御情報は、無線アクセスネットワークデバイスによって、端末デバイスの少なくとも1つのトランスポートブロックをスケジュールするために使用され、少なくとも1つのトランスポートブロックの各々は、少なくとも1つの符号化ブロックを含み、影響を受ける符号化ブロックは、少なくとも1つのトランスポートブロックにおける少なくとも1つの符号化ブロックであり、制御情報に基づいて、少なくとも1つのトランスポートブロックを受信するように構成される受信ユニット1201と、
影響を受ける符号化ブロックの指示情報に基づいて、端末デバイスによって、影響を受ける符号化ブロックを決定し、第1の指示情報を決定するように構成される処理ユニット1202であって、ここで、第1の指示情報は、第2の符号化ブロックが正しく受信されたかどうかを示し、第2の符号化ブロックは、少なくとも1つの符号化ブロックにおける影響を受ける符号化ブロック以外の符号化ブロックであり、第1の指示情報に含まれるビット数は、第2の符号化ブロックの数未満である、処理ユニット1202と、
第1の指示情報を無線アクセスネットワークデバイスに送信するように構成される送信ユニット1203とを含む。
【０２１７】
制御情報、影響を受ける符号化ブロックおよび影響を受ける符号化ブロックの指示情報、および送信方法に関する詳細については、前述の実施形態における関連する説明を参照されたい。
【０２１８】
任意で、処理ユニットは、第2の指示情報を決定するようにさらに構成され、ここで、第2の指示情報は、影響を受ける符号化ブロックが正しく受信されたかどうかを示すために使用され、送信ユニットは、第2の指示情報を無線アクセスネットワークデバイスに送信するようにさらに構成される。
【０２１９】
第1の指示情報および第2の指示情報、および送信方法に関する詳細については、前述の実施形態における関連する説明を参照されたい。
【０２２０】
任意で、端末デバイスは、無線アクセスネットワークデバイスに、影響を受ける符号化ブロックが正しく受信されたかどうかについての指示情報を送信しない。
【０２２１】
任意で、影響を受ける符号化ブロックの指示情報は、影響を受ける符号化ブロックの識別子情報または影響を受ける符号化ブロックに対応するリソースの識別子情報を含む。
【０２２２】
図13を参照すると、別の実施形態では、端末デバイスは、
無線アクセスネットワークデバイスによって送信された制御情報および影響を受ける符号化ブロックの指示情報を受信するように構成され、ここで、制御情報は、無線アクセスネットワークデバイスによって、端末デバイスの少なくとも1つのトランスポートブロックをスケジュールするために使用され、少なくとも1つのトランスポートブロックの各々は、少なくとも1つの符号化ブロックを含み、影響を受ける符号化ブロックは、少なくとも1つのトランスポートブロックにおける少なくとも1つの符号化ブロックであり、制御情報に基づいて、少なくとも1つのトランスポートブロックを受信するように構成される受信機1301と、
影響を受ける符号化ブロックの指示情報に基づいて、端末デバイスによって、影響を受ける符号化ブロックを決定し、第1の指示情報を決定するように構成されるプロセッサ1302であって、ここで、第1の指示情報は、第2の符号化ブロックが正しく受信されたかどうかを示し、第2の符号化ブロックは、少なくとも1つの符号化ブロックにおける影響を受ける符号化ブロック以外の符号化ブロックであり、第1の指示情報に含まれるビット数は、第2の符号化ブロックの数未満である、プロセッサ1302と、
第1の指示情報を無線アクセスネットワークデバイスに送信するように構成される送信機1303とを含む。
【０２２３】
制御情報、影響を受ける符号化ブロックおよび影響を受ける符号化ブロックの指示情報、および送信方法に関する詳細については、前述の実施形態における関連する説明を参照されたい。
【０２２４】
任意で、プロセッサは、第2の指示情報を決定するようにさらに構成され、ここで、第2の指示情報は、影響を受ける符号化ブロックが正しく受信されたかどうかを示すために使用され、送信機は、第2の指示情報を無線アクセスネットワークデバイスに送信するようにさらに構成される。
【０２２５】
第1の指示情報および第2の指示情報、および送信方法に関する詳細については、前述の実施形態における関連する説明を参照されたい。
【０２２６】
任意で、端末デバイスは、無線アクセスネットワークデバイスに、影響を受ける符号化ブロックが正しく受信されたかどうかについての指示情報を送信しない。
【０２２７】
任意で、影響を受ける符号化ブロックの指示情報は、影響を受ける符号化ブロックの識別子情報または影響を受ける符号化ブロックに対応するリソースの識別子情報を含む。
【０２２８】
前述の方法に対応して、本発明は無線アクセスネットワークデバイスを提供する。無線アクセスネットワークデバイスは、無線システムにおいて短期間バースト干渉が生じるシナリオに適用されてよく、無線アクセスネットワークデバイスは、前述の方法の実施形態における各ステップを実行することができる。
【０２２９】
図14を参照すると、実施形態では、無線アクセスネットワークデバイスは、
制御情報および影響を受ける符号化ブロックの指示情報を端末デバイスに送信するように構成され、ここで、制御情報は、無線アクセスネットワークデバイスによって、端末デバイスの少なくとも1つのトランスポートブロックをスケジュールするために使用され、少なくとも1つのトランスポートブロックの各々は、少なくとも1つの符号化ブロックを含み、影響を受ける符号化ブロックは、少なくとも1つのトランスポートブロックにおける少なくとも1つの符号化ブロックであり、少なくとも1つのトランスポートブロックにおける影響を受ける符号化ブロック以外の少なくとも1つの符号化ブロックを端末デバイスに送信するように構成される送信ユニット1401と、
端末デバイスによって送信された第1の指示情報を受信するように構成される受信ユニット1402であって、ここで、第1の指示情報は、第2の符号化ブロックが正しく受信されたかどうかを示し、第2の符号化ブロックは、少なくとも1つの符号化ブロックにおける影響を受ける符号化ブロック以外の符号化ブロックであり、第1の指示情報に含まれるビット数は、第2の符号化ブロックの数未満である、受信ユニット1402とを含む。
【０２３０】
任意で、無線アクセスネットワークデバイスは、処理ユニット1403を含み、処理ユニット1403は、制御情報および影響を受ける符号化ブロックの指示情報を送信するように決定するように構成される。
【０２３１】
任意で、受信ユニットは、端末デバイスによって送信された第2の指示情報を受信するようにさらに構成され、ここで、第2の指示情報は、影響を受ける符号化ブロックが正しく受信されたかどうかを示し、第2の指示情報に含まれるビット数は、影響を受ける符号化ブロックの数未満である。
【０２３２】
任意で、無線アクセスネットワークデバイスは第2の指示情報を受信せず、ここで、第2の指示情報は、影響を受ける符号化ブロックが正しく受信されたかどうかを示すために使用される。
【０２３３】
制御情報、影響を受ける符号化ブロックおよび影響を受ける符号化ブロックの指示情報、および送信方法に関する詳細については、前述の実施形態における関連する説明を参照されたい。
【０２３４】
第1の指示情報および第2の指示情報、および送信方法に関する詳細については、前述の実施形態における関連する説明を参照されたい。
【０２３５】
図15を参照すると、別の実施形態では、無線アクセスネットワークデバイスは、
制御情報および影響を受ける符号化ブロックの指示情報を端末デバイスに送信するように構成され、ここで、制御情報は、無線アクセスネットワークデバイスによって、端末デバイスの少なくとも1つのトランスポートブロックをスケジュールするために使用され、少なくとも1つのトランスポートブロックの各々は、少なくとも1つの符号化ブロックを含み、影響を受ける符号化ブロックは、少なくとも1つのトランスポートブロックにおける少なくとも1つの符号化ブロックであり、少なくとも1つのトランスポートブロックにおける影響を受ける符号化ブロック以外の少なくとも1つの符号化ブロックを端末デバイスに送信するように構成される送信機1501と、
端末デバイスによって送信された第1の指示情報を受信するように構成される受信機1502であって、ここで、第1の指示情報は、第2の符号化ブロックが正しく受信されたかどうかを示し、第2の符号化ブロックは、少なくとも1つの符号化ブロックにおける影響を受ける符号化ブロック以外の符号化ブロックであり、第1の指示情報に含まれるビット数は、第2の符号化ブロックの数未満である、受信機1502とを含む。
【０２３６】
任意で、無線アクセスネットワークデバイスは、プロセッサ1503を含み、プロセッサ1503は、制御情報および影響を受ける符号化ブロックの指示情報を送信するように決定するように構成される。
【０２３７】
任意で、受信機は、端末デバイスによって送信された第2の指示情報を受信するようにさらに構成され、ここで、第2の指示情報は、影響を受ける符号化ブロックが正しく受信されたかどうかを示し、第2の指示情報に含まれるビット数は、影響を受ける符号化ブロックの数未満である。
【０２３８】
任意で、無線アクセスネットワークデバイスは第2の指示情報を受信せず、ここで、第2の指示情報は、影響を受ける符号化ブロックが正しく受信されたかどうかを示すために使用される。
【０２３９】
制御情報、影響を受ける符号化ブロックおよび影響を受ける符号化ブロックの指示情報、および送信方法に関する詳細については、前述の実施形態における関連する説明を参照されたい。
【０２４０】
第1の指示情報および第2の指示情報、および送信方法に関する詳細については、前述の実施形態における関連する説明を参照されたい。
【０２４１】
別の実施形態では、部分CBがパンチされるためTB全体の再送信によって引き起こされる低効率の課題を解決するために、CBレベルの確認応答または否定応答情報のアップリンク送信のオーバヘッドが比較的高いことを考慮すると、影響を受けるCBが端末デバイスによって正しく受信されない確率が高く、CBの正しくない受信が影響を受ける確率が高くないという仮定に基づいて、本発明は以下の実施形態を提供する。本実施形態は、再送信の効率とアップリンク送信のオーバヘッドとの間の妥協点を達成するために部分符号化ブロックの再送信を使用する。
【０２４２】
図16を参照すると、本発明によって提供されるデータ送信方法の実施形態は、無線アクセスネットワークデバイスに適用されてよく、方法は以下のステップを含む。
【０２４３】
S1601. 無線アクセスネットワークデバイスは、トランスポートブロックを端末デバイスに送信し、ここで、トランスポートブロックは少なくとも2つの符号化ブロックを含む。
【０２４４】
トランスポートブロックおよび符号化ブロックに関する詳細については、前述の実施形態における関連する説明を参照されたい。
【０２４５】
S1602. 無線アクセスネットワークデバイスは、トランスポートブロックに関して端末デバイスによって送信された否定応答情報を受信し、ここで、否定応答情報は、端末デバイスがトランスポートブロックを正しく受信しなかったことを示すために使用される。
【０２４６】
端末デバイスが、トランスポートブロック内の全ての符号化ブロックを正しく受信することができない場合、端末デバイスは、トランスポートブロックに関する否定応答ビットを無線アクセスネットワークデバイスにフィードバックする。ここでは、確認応答または否定応答情報フィードバックは、符号化ブロックレベルに基づくのではなく、既存のLTEシステムにおけるトランスポートブロックレベルに基づいてよい。
【０２４７】
トランスポートブロック内の部分符号化ブロックは、別の緊急サービスによってパンチされることがあり、またはバースト干渉を受けることがあり、結果として、端末デバイスが部分符号化ブロックを正しく受信しない可能性が高いことは留意されるべきである。部分符号化ブロックは、前述の実施形態で説明された影響を受ける符号化ブロックを含んでよい。影響を受ける符号化ブロックに関する詳細については、前述の実施形態における関連する説明を参照されたい。
【０２４８】
比較すると、トランスポートブロック内の部分符号化ブロック以外の他の符号化ブロックは端末デバイスによって正しく受信される確率は比較的高く、劣悪なチャネル状態による正しくない受信の可能性は比較的低い。
【０２４９】
S1603. 無線アクセスネットワークデバイスは、トランスポートブロック内の部分符号化ブロックを端末デバイスに送信する。
【０２５０】
具体的には、ステップS1601において無線アクセスネットワークデバイスによって端末デバイスに送信されるトランスポートブロック内の部分符号化ブロックは、バースト干渉を受け、緊急サービスによってパンチさえされることを考慮すると、部分符号化ブロックが端末デバイスによって正しく受信されることができない可能性は極めて高い。しかしながら、影響を受けない他の符号化ブロックもまた劣悪なチャネル状態のために正しく受信されないことがあるが、イベントが発生する可能性は一般的に高くない。従って、トランスポートブロックに関して端末デバイスによってフィードバックされる否定応答情報が受信された後、または、無線アクセスネットワークデバイスが、トランスポートブロックに関して端末デバイスによってフィードバックされた確認応答または否定応答情報を受信する前でさえ（これは、ステップS1602が任意であってよく、または少なくともステップS1603の前に実行される必要はないことを意味する）、HARQ再送信の効率を高め、システムスループットをさらに向上させるために、無線アクセスネットワークデバイスは、トランスポートブロック内の部分符号化ブロックを端末デバイスに送信してよいが、トランスポートブロック内の部分符号化ブロック以外の他の符号化ブロックを再送信しない。具体的には、無線アクセスネットワークデバイスは、他の符号化ブロックが端末デバイスによって正しく受信されたと一時的に仮定する。
【０２５１】
S1604. 無線アクセスネットワークデバイスは、トランスポートブロックに関して端末デバイスによって送信された確認応答または否定応答情報を受信し、ここで、確認応答情報は、端末デバイスがトランスポートブロック内の符号化ブロックの全てを正しく受信したことを示すために使用される。
【０２５２】
具体的には、ステップS1603において、無線アクセスネットワークデバイスがトランスポートブロック内の部分符号化ブロックのみを再送信する場合でも、確認応答または否定応答情報は、トランスポートブロック全体における全ての符号化ブロックに関して、端末デバイスによって送信されて、無線アクセスネットワークデバイスによって受信される。主な理由は、無線アクセスネットワークデバイスが、トランスポートブロック内の部分符号化ブロック以外の他の符号化ブロックが端末デバイスによって正しく受信されたかどうかを判定することができないことである。具体的には、以下のケースが含まれる：
【０２５３】
端末デバイスが無線アクセスネットワークデバイスによって再送信される部分符号化ブロックを依然として正しく受信することができない場合、端末デバイスは、否定応答情報を無線アクセスネットワークデバイスにフィードバックし、
端末デバイスが無線アクセスネットワークデバイスによって再送信された部分符号化ブロックを正しく受信し、端末デバイスがまた、前述のステップS1601において無線アクセスネットワークデバイスによって再送信されたトランスポートブロック内の部分符号化ブロック以外の他の符号化ブロックを正しく受信した場合、端末デバイスは、確認応答情報を無線アクセスネットワークデバイスにフィードバックし、
端末デバイスが無線アクセスネットワークデバイスによって再送信された部分符号化ブロックを正しく受信するが、端末デバイスが、前述のステップS1601において無線アクセスネットワークデバイスによって送信されたトランスポートブロック内の部分符号化ブロック以外の他の符号化ブロックのうちの少なくとも1つを正しく受信しなかった場合、端末デバイスは、否定応答情報を無線アクセスネットワークデバイスにフィードバックする。
【０２５４】
部分CBがパンチされるためTB全体の再送信によって引き起こされる低効率の課題を解決するために、CBレベルの確認応答または否定応答情報のアップリンクフィードバックのオーバヘッドが比較的高いことを考慮すると、影響を受けるCBが端末デバイスによって正しく受信されない確率が高く、CBの正しくない受信が影響を受けない確率が高くないという仮定に基づいて、本発明は前述の実施形態を提供する。本実施形態は、再送信の効率とアップリンクフィードバックのオーバヘッドとの間の妥協点を達成するために部分符号化ブロックの再送信を使用する。
【０２５５】
前述のデータ送信方法に基づくと、任意で、無線アクセスネットワークデバイスがトランスポートブロックを端末デバイスに送信するときに使用されるHARQプロセス番号は、無線アクセスネットワークデバイスがトランスポートブロック内の部分符号化ブロックを端末デバイスに送信するときに使用されるHARQプロセス番号と同じである。
【０２５６】
具体的には、S1603で再送信された部分符号化ブロックに対応する確認応答または否定応答情報は、トランスポートブロック全体における全ての符号化ブロックに関してフィードバックされる。従って、ステップS1603で部分符号化ブロックが送信されるときに使用されるHARQプロセス番号は、ステップS1601においてトランスポートブロック全体が送信されたときに使用されるHARQプロセス番号と同じである。HARQプロセス番号は、トランスポートブロックまたは部分符号化ブロックをスケジュールする制御情報に明示的に含まれてよく、または、無線アクセスネットワークデバイスまたは端末デバイスによって暗黙的に決定されてもよい。例えば、HARQプロセス番号はリソースに対応してよく、ここで、リソースは、時間リソース、周波数リソースおよび空間リソースのうちの少なくとも1つを含んでよい。前述の2つのステップにおいてそれぞれ使用されるHARQプロセス番号が同じであることが保証されることができる限り、HARQプロセス番号を決定する具体的な方式は限定されない。具体的には、無線アクセスネットワークデバイスおよび端末デバイスは、2つのステップが同じプロセス番号に対応することを両方とも考慮する必要がある。このようにして、トランスポートブロックとフィードバック情報との間の対応は一致することができる。
【０２５７】
前述のデータ送信方法に基づくと、任意で、無線アクセスネットワークデバイスは、第1のスケジューリング情報を端末デバイスに送信し、ここで、第1のスケジューリング情報は、部分符号化ブロックの送信情報を端末デバイスに示すために使用され、部分符号化ブロックの送信情報は、送信が部分符号化ブロックの送信であるかどうか、および/または、部分符号化ブロックのインデックスを含む。
【０２５８】
変換LTEシステムにおけるHARQ再送信では、トランスポートブロック全体における全ての符号化ブロックが再送信される必要があることは理解されるべきである。従って、端末デバイスは、デフォルトでこの規則を使用してよい。従って、端末デバイスに、どの符号化ブロックが再送信されるかを追加的に通知する必要はない。しかしながら、本発明のステップS1603で説明されたように、無線アクセスネットワークデバイスは、部分符号化ブロックを端末デバイスに再送信する。これは、変換LTEシステムにおけるHARQ再送信メカニズムとは異なる。従って、端末デバイスは、特に、現在のHARQ再送信が部分符号化ブロックの送信であるかどうか、および/または部分符号化ブロックのインデックスを含む、部分符号化ブロックの送信情報を通知される必要はない。
【０２５９】
部分符号化ブロックの送信情報が、送信が部分符号化ブロックの送信であるかどうかを含む場合、現在のHARQ再送信が部分符号化ブロックの送信であるか従来のLTEシステムにおけるトランスポートブロック全体の再送信であるかが端末デバイスに示される必要があり、第1のスケジューリング情報はステップS1603における部分符号化ブロックをスケジュールする制御情報で搬送されてよい。加えて、現在のHARQ再送信が部分符号化ブロックの再送信であることが端末デバイスに示された場合、どの特定の符号化ブロックが部分符号化ブロックであるか、例えば、部分符号化ブロックの符号化ブロックインデックスまたは符号化ブロックグループのインデックスが、端末デバイスにさらに示される必要がある。具体的には、第1のスケジューリング情報を示すための方法は限定されない。例えば、第1のスケジューリング情報は、制御情報内のビットを使用することによって、例えば、新しいビットを使用して、または、既存のビット（例えば、MCSフィールドの全てまたは一部の状態）を再利用して、明示的に示されてよく、または、第1のスケジューリング情報は、制御情報の異なるスクランブリング方式で示されてよく、または、第1のスケジューリング情報は、制御チャネルおよび/またはデータチャネルが送信されるリソース位置に基づいて暗黙的に示されてよく、ここで、データチャネルは、トランスポートブロックまたは部分符号化ブロックを搬送するチャネルであり、または第1のスケジューリング情報は、明示的方法と暗黙的方法の組合せを使用することによって示される。
【０２６０】
部分符号化ブロックの送信情報が、どの符号化ブロックが部分符号化ブロックであるか、例えば、部分符号化ブロックの符号化ブロックインデックスまたは符号化ブロックグループのインデックスを含む場合、送信が部分符号化ブロックの送信であるかどうかに関する情報は含まれてもよく、含まれなくてもよい。具体的には、第1のスケジューリング情報を示す方式は限定されない。詳細については、前述の実施形態における説明を参照されたい。
【０２６１】
前述のデータ送信方法に基づくと、任意で、
無線アクセスネットワークデバイスが、トランスポートブロックに関して、端末デバイスによって送信された否定応答情報を受信する前に、方法は、無線アクセスネットワークデバイスが、第2のスケジューリング情報を端末デバイスに送信し、ここで、第2のスケジューリング情報は部分符号化ブロックのインデックスを示すために端末デバイスによって使用され、第2のスケジューリング情報は、前述のステップS1601におけるトランスポートブロックをスケジュールする制御情報であることを含む。具体的な指示方法は上記で説明されており、ここでは再び説明されない。
【０２６２】
任意で、無線アクセスネットワークデバイスが、トランスポートブロックに関して、端末デバイスによって送信された否定応答情報を受信した後、方法は、無線アクセスネットワークデバイスは、第3のスケジューリング情報を端末デバイスに送信し、ここで、第3のスケジューリング情報は、端末デバイスに、送信が部分符号化ブロックの送信であるかどうかに関する情報を示すために使用されることを含む。第3のスケジューリング情報は、前述のステップS1603における部分符号化ブロックをスケジュールする制御情報である。具体的な指示方法は上記で説明されており、ここでは再び説明されない。
【０２６３】
図17を参照すると、本発明によって提供されるデータ送信方法の実施形態は端末デバイスに適用されてよく、方法は以下のステップを含む。
【０２６４】
S1701. 端末デバイスは、無線アクセスネットワークデバイスによって送信されたトランスポートブロックを受信し、ここで、トランスポートブロックは少なくとも2つの符号化ブロックを含む。
【０２６５】
S1702. 端末デバイスは、トランスポートブロックに関する否定応答情報を無線アクセスネットワークデバイスに送信し、ここで、否定応答情報は、端末デバイスがトランスポートブロックを正しく受信しなかったことを示すために使用される。
【０２６６】
S1703. 端末デバイスは、無線アクセスネットワークデバイスによって送信されたトランスポートブロック内の部分符号化ブロックを受信する。
【０２６７】
S1704. 端末デバイスは、トランスポートブロックに関する確認応答または否定応答情報を無線アクセスネットワークデバイスに送信し、ここで、確認応答情報は、端末デバイスがトランスポートブロック内の符号化ブロックの全てを正しく受信したことを示すために使用される。
【０２６８】
前述のデータ送信方法に基づくと、任意で、端末デバイスがトランスポートブロックを受信するときに使用されるHARQプロセス番号は、端末デバイスがトランスポートブロック内の部分符号化ブロックを受信するときに使用されるHARQプロセス番号と同じである。
【０２６９】
前述のデータ送信方法に基づくと、任意で、端末デバイスは、第1のスケジューリング情報を受信し、端末デバイスは、第1のスケジューリング情報に基づいて、部分符号化ブロックの送信情報を決定し、ここで、部分符号化ブロックの送信情報は、送信が部分符号化ブロックの送信であるかどうか、および/または、部分符号化ブロックのインデックスを含む。
【０２７０】
前述のデータ送信方法に基づくと、任意で、
端末デバイスがトランスポートブロックに関する否定応答情報を無線アクセスネットワークデバイスに送信する前に、方法は、端末デバイスが第2のスケジューリング情報を受信し、端末デバイスが、第2のスケジューリング情報に基づいて、部分符号化ブロックのインデックスを決定することを含み、
端末デバイスがトランスポートブロックに関する否定応答情報を無線アクセスネットワークデバイスに送信した後に、方法は、端末デバイスが第3のスケジューリング情報を受信し、端末デバイスが、第3のスケジューリング情報に基づいて、送信が部分符号化ブロックの送信であるかどうかに関する情報を決定することを含む。
【０２７１】
詳細に関しては、無線アクセスネットワークデバイス側の方法の実施形態における説明を参照されたい。詳細はここでは再び説明されない。
【０２７２】
前述の方法に対応して、本発明は、端末デバイスと無線アクセスネットワークデバイスの実施形態を提供し、ここで、端末デバイスと無線アクセスネットワークデバイスは、前述の方法の実施形態における各ステップをそれぞれ実行してよい。
【０２７３】
本発明によって提供される無線アクセスネットワークデバイスの実施形態は、
トランスポートブロックを端末デバイスに送信するように構成される送信モジュールであって、ここで、トランスポートブロックは少なくとも2つの符号化ブロックを含む、送信モジュールと、
トランスポートブロックに関して、端末デバイスによって送信された否定応答情報を受信するように構成される受信モジュールであって、ここで、否定応答情報は端末デバイスがトランスポートブロックを正しく受信しなかったことを示すために使用される、受信モジュールとを含み、
ここで、送信モジュールは、トランスポートブロック内の部分符号化ブロックを端末デバイスに送信するようにさらに構成され、
受信モジュールは、トランスポートブロックに関して端末デバイスによって送信された確認応答または否定応答情報を受信するようにさらに構成され、ここで、確認応答情報は、端末デバイスがトランスポートブロック内の符号化ブロックの全てを正しく受信したことを示すために使用される。
【０２７４】
任意で、無線アクセスネットワークデバイスがトランスポートブロックを端末デバイスに送信するときに使用されるHARQプロセス番号は、無線アクセスネットワークデバイスがトランスポートブロック内の部分符号化ブロックを端末デバイスに送信するときに使用されるHARQプロセス番号と同じである。
【０２７５】
任意で、無線アクセスネットワークデバイスは、第1のスケジューリング情報を端末デバイスに送信し、ここで、第1のスケジューリング情報は、部分符号化ブロックの送信情報を端末デバイスに示すために使用され、部分符号化ブロックの送信情報は、送信が部分符号化ブロックの送信であるかどうか、および/または、部分符号化ブロックのインデックスを含む。
【０２７６】
任意で、無線アクセスネットワークデバイスが、トランスポートブロックに関して、端末デバイスによって送信された否定応答情報を受信する前に、方法は、無線アクセスネットワークデバイスが、第2のスケジューリング情報を端末デバイスに送信し、ここで、第2のスケジューリング情報は部分符号化ブロックのインデックスを示すために端末デバイスによって使用され、
無線アクセスネットワークデバイスが、トランスポートブロックに関して、端末デバイスによって送信された否定応答情報を受信した後、方法は、無線アクセスネットワークデバイスは、第3のスケジューリング情報を端末デバイスに送信し、ここで、第3のスケジューリング情報は、端末デバイスに、送信が部分符号化ブロックの送信であるかどうかに関する情報を示すために使用されることを含む。
【０２７７】
詳細に関しては、無線アクセスネットワークデバイス側の方法の実施形態における説明を参照されたい。詳細はここでは再び説明されない。
【０２７８】
本発明によって提供される端末デバイスは、
無線アクセスネットワークデバイスによって送信されたトランスポートブロックを受信するように構成される受信モジュールであって、ここで、トランスポートブロックは少なくとも2つの符号化ブロックを含む、受信モジュールと、
端末デバイスによって、トランスポートブロックに関する否定応答情報を無線アクセスネットワークデバイスに送信するように構成される送信モジュールであって、ここで、否定応答情報は、端末デバイスがトランスポートブロックを正しく受信しなかったことを示すために使用される、送信モジュールとを含み、ここで、
受信モジュールは、無線アクセスネットワークデバイスによって送信されたトランスポートブロック内の部分符号化ブロックを受信するようにさらに構成され、
送信モジュールは、端末デバイスによって、トランスポートブロックに関する確認応答または否定応答情報を無線アクセスネットワークデバイスに送信するようにさらに構成され、ここで、確認応答情報は、端末デバイスがトランスポートブロック内の符号化ブロックの全てを正しく受信したことを示すために使用される。
【０２７９】
前述の端末デバイスに基づくと、任意で、端末デバイスがトランスポートブロックを受信するときに使用されるHARQプロセス番号は、端末デバイスがトランスポートブロック内の部分符号化ブロックを受信するときに使用されるHARQプロセス番号と同じである。
【０２８０】
前述の端末デバイスに基づくと、任意で、端末デバイスは、第1のスケジューリング情報を受信し、端末デバイスは、第1のスケジューリング情報に基づいて、部分符号化ブロックの送信情報を決定し、ここで、部分符号化ブロックの送信情報は、送信が部分符号化ブロックの送信であるかどうか、および/または、部分符号化ブロックのインデックスを含む。
【０２８１】
前述の端末デバイスに基づくと、任意で、
端末デバイスがトランスポートブロックに関する否定応答情報を無線アクセスネットワークデバイスに送信する前に、端末デバイスは第2のスケジューリング情報を受信し、端末デバイスは、第2のスケジューリング情報に基づいて、部分符号化ブロックのインデックスを決定することを含み、
端末デバイスがトランスポートブロックに関する否定応答情報を無線アクセスネットワークデバイスに送信した後に、端末デバイスは第3のスケジューリング情報を受信し、端末デバイスは、第3のスケジューリング情報に基づいて、送信が部分符号化ブロックの送信であるかどうかに関する情報を決定することを含む。
【０２８２】
詳細に関しては、端末デバイス側の方法の実施形態における説明を参照されたい。詳細はここでは再び説明されない。
【０２８３】
前述の実施形態における受信モジュールおよび送信モジュールは、それぞれハードウェア内の受信機および送信機であってよく、または、両方ともトランシーバに統合されてよいことは理解され得る。
【０２８４】
当業者は、前述の例のうちの1つまたは複数において、本発明で説明される機能は、ハードウェア、ソフトウェア、ファームウェアまたはこれらの任意の組合せを使用することによって実施され得ることを認識するべきである。本願がソフトウェアによって実施される場合、これらの機能はコンピュータ可読媒体に記憶されてよく、または、コンピュータ可読媒体内の1つまたは複数の命令またはコードとして送信されてよい。コンピュータ可読媒体は、コンピュータ記憶媒体および通信媒体を含み、ここで、通信媒体は、コンピュータプログラムがある場所から別の場所に送信されることを可能にする任意の媒体を含む。記憶媒体は、汎用または専用コンピュータにアクセス可能な任意の利用可能な媒体であってよい。
【０２８５】
本発明の目的、技術的解決手段および利益効果は、前述の具体的な実施形態で詳細にさらに説明される。前述の説明は本発明の単なる具体的な実施形態であるが、本発明の保護範囲を限定するようには意図されないことは理解されるべきである。本発明の技術的解決手段に基づいて行われるいかなる修正、均等置換または改良も、本発明の保護範囲に包含されるべきである。
【符号の説明】
【０２８６】
701  受信ユニット
702  処理ユニット
703  送信ユニット
801  受信機
802  プロセッサ
803  送信機
901  送信ユニット
902  処理ユニット
903  受信ユニット
1001  送信機
1002  プロセッサ
1003  受信機
1201  受信ユニット
1202  決定ユニット
1203  送信ユニット
1301  受信機
1302  プロセッサ
1303  送信機
1401  送信ユニット
1402  受信ユニット
1403  処理ユニット
1501  送信機
1502  受信機
1503  プロセッサ
【図１】
2019535190.tif 000005
【図２】
2019535190.tif 000006
【図３】
2019535190.tif 000007
【図４】
2019535190.tif 000008
【図５】
2019535190.tif 000009
【図６】
2019535190.tif 000010
【図７】
2019535190.tif 000011
【図８】
2019535190.tif 000012
【図９】
2019535190.tif 000013
【図１０】
2019535190.tif 000014
【図１１】
2019535190.tif 000015
【図１２】
2019535190.tif 000016
【図１３】
2019535190.tif 000017
【図１４】
2019535190.tif 000018
【図１５】
2019535190.tif 000019
【図１６】
2019535190.tif 000020
【図１７】
2019535190.tif 000021
【手続補正書】
【提出日】令和1年5月24日(2019.5.24)
【手続補正１】
【補正対象書類名】特許請求の範囲
【補正対象項目名】全文
【補正方法】変更
【補正の内容】
【特許請求の範囲】
【請求項１】
データ送信方法であって、
無線アクセスネットワークデバイスによって、トランスポートブロックを端末デバイスに送信するステップであって、前記トランスポートブロックは少なくとも2つの符号化ブロックを含む、ステップと、
前記無線アクセスネットワークデバイスによって、前記トランスポートブロック内の部分符号化ブロックを前記端末デバイスに送信するステップと、
前記無線アクセスネットワークデバイスによって、前記トランスポートブロックに関して前記端末デバイスによって送信された確認応答または否定応答情報を受信するステップであって、前記確認応答情報は、前記端末デバイスが前記トランスポートブロック内の前記符号化ブロックの全てを正しく受信したことを示すために使用される、ステップとを含む方法。
【請求項２】
前記無線アクセスネットワークデバイスによって、第1のスケジューリング情報を前記端末デバイスに送信するステップであって、前記第1のスケジューリング情報は、前記部分符号化ブロックの送信情報を前記端末デバイスに示すために使用され、前記部分符号化ブロックの前記送信情報は、現在のHARQ送信が前記部分符号化ブロックの送信であるかどうかの情報、および/または、前記部分符号化ブロックのインデックスを含む、ステップをさらに含む、請求項1に記載の方法。
【請求項３】
前記第1のスケジューリング情報は、前記部分符号化ブロックをスケジュールするために使用される制御情報において搬送される、請求項2に記載の方法。
【請求項４】
前記部分符号化ブロックは影響を受ける符号化ブロックを含む、請求項1乃至3のいずれか1項に記載の方法。
【請求項５】
前記制御情報は、前記影響を受ける符号化ブロックの指示情報をさらに含む、請求項2乃至4のいずれか1項に記載の方法。
【請求項６】
前記影響を受ける符号化ブロックの前記指示情報は、前記影響を受ける符号化ブロックが存在するかどうかに関する情報を含む、請求項5に記載の方法。
【請求項７】
前記無線アクセスネットワークデバイスが前記トランスポートブロックを前記端末デバイスに送信するときに使用されるHARQプロセス番号は、前記無線アクセスネットワークデバイスが前記トランスポートブロック内の前記部分符号化ブロックを前記端末デバイスに送信するときに使用されるHARQプロセス番号と同じである、請求項1乃至6のいずれか1項に記載の方法。
【請求項８】
データ送信方法であって、
端末デバイスによって、無線アクセスネットワークデバイスからトランスポートブロックを受信するステップであって、前記トランスポートブロックは少なくとも2つの符号化ブロックを含む、ステップと、
前記端末デバイスによって、前記無線アクセスネットワークデバイスから、前記トランスポートブロック内の部分符号化ブロックを受信するステップと、
前記端末デバイスによって、前記トランスポートブロックに関する確認応答または否定応答情報を前記無線アクセスネットワークデバイスに送信するステップであって、前記確認応答情報は、前記端末デバイスが前記トランスポートブロック内の前記符号化ブロックの全てを正しく受信したことを示すために使用される、ステップとを含む方法。
【請求項９】
前記端末デバイスは、前記無線アクセスネットワークデバイスから第1のスケジューリング情報を受信し、前記端末デバイスは、前記第1のスケジューリング情報に基づいて、前記部分符号化ブロックの送信情報を決定し、前記部分符号化ブロックの前記送信情報は、現在のHARQ送信が前記部分符号化ブロックの送信であるかどうかの情報、および/または、前記部分符号化ブロックのインデックスを含む、請求項8に記載の方法。
【請求項１０】
前記第1のスケジューリング情報は、前記部分符号化ブロックをスケジュールするために使用される制御情報において搬送される、請求項9に記載の方法。
【請求項１１】
前記部分符号化ブロックは影響を受ける符号化ブロックを含む、請求項8乃至10のいずれか1項に記載の方法。
【請求項１２】
前記制御情報は、前記影響を受ける符号化ブロックの指示情報をさらに含む、請求項8乃至11のいずれか1項に記載の方法。
【請求項１３】
前記影響を受ける符号化ブロックの前記指示情報は、前記影響を受ける符号化ブロックが存在するかどうかに関する情報を含む、請求項12に記載の方法。
【請求項１４】
前記端末デバイスが前記無線アクセスネットワークデバイスから前記トランスポートブロックを受信するときに使用されるHARQプロセス番号は、前記端末デバイスが前記無線アクセスネットワークデバイスから前記トランスポートブロック内の前記部分符号化ブロックを受信するときに使用されるHARQプロセス番号と同じである、請求項8乃至13のいずれか1項に記載の方法。
【請求項１５】
無線アクセスネットワークデバイスであって、
トランスポートブロックを端末デバイスに送信するように構成される送信モジュールであって、前記トランスポートブロックは少なくとも2つの符号化ブロックを含む、送信モジュールと、
前記トランスポートブロックに関して前記端末デバイスによって送信された否定応答情報を受信するように構成される受信モジュールであって、前記否定応答情報は、前記端末デバイスが前記トランスポートブロックを正しく受信しなかったことを示すために使用される、受信モジュールとを含み、
前記送信モジュールは、前記トランスポートブロック内の部分符号化ブロックを前記端末デバイスに送信するようにさらに構成され、
前記受信モジュールは、前記トランスポートブロックに関して前記端末デバイスによって送信された確認応答または否定応答情報を受信するようにさらに構成され、前記確認応答情報は、前記端末デバイスが前記トランスポートブロック内の前記符号化ブロックの全てを正しく受信したことを示すために使用される、無線アクセスネットワークデバイス。
【請求項１６】
前記送信モジュールは、第1のスケジューリング情報を前記端末デバイスに送信するようにさらに構成され、前記第1のスケジューリング情報は、前記部分符号化ブロックの送信情報を前記端末デバイスに示すために使用され、前記部分符号化ブロックの前記送信情報は、現在のHARQ送信が前記部分符号化ブロックの送信であるかどうかの情報、および/または、前記部分符号化ブロックのインデックスを含む、請求項15に記載の無線アクセスネットワークデバイス。
【請求項１７】
前記第1のスケジューリング情報は、前記部分符号化ブロックをスケジュールするために使用される制御情報において搬送される、請求項16に記載の無線アクセスネットワークデバイス。
【請求項１８】
前記部分符号化ブロックは影響を受ける符号化ブロックを含む、請求項15乃至17のいずれか1項に記載の無線アクセスネットワークデバイス。
【請求項１９】
前記制御情報は、前記影響を受ける符号化ブロックの指示情報をさらに含む、請求項16乃至18のいずれか1項に記載の無線アクセスネットワークデバイス。
【請求項２０】
前記影響を受ける符号化ブロックの前記指示情報は、前記影響を受ける符号化ブロックが存在するかどうかに関する情報を含む、請求項19に記載の無線アクセスネットワークデバイス。
【請求項２１】
前記無線アクセスネットワークデバイスが前記トランスポートブロックを前記端末デバイスに送信するときに使用されるHARQプロセス番号は、前記無線アクセスネットワークデバイスが前記トランスポートブロック内の前記部分符号化ブロックを前記端末デバイスに送信するときに使用されるHARQプロセス番号と同じである、請求項15乃至20のいずれか1項に記載の無線アクセスネットワークデバイス。
【請求項２２】
端末デバイスであって、
無線アクセスネットワークデバイスによって送信されたトランスポートブロックを受信するように構成される受信モジュールであって、前記トランスポートブロックは少なくとも2つの符号化ブロックを含む、受信モジュールと、
前記トランスポートブロックに関する否定応答情報を前記無線アクセスネットワークデバイスに送信するように構成される送信モジュールであって、前記否定応答情報は、前記端末デバイスが前記トランスポートブロックを正しく受信しなかったことを示すために使用される、送信モジュールとを含み、
前記受信モジュールは、前記無線アクセスネットワークデバイスによって送信された前記トランスポートブロック内の部分符号化ブロックを受信するようにさらに構成され、
前記送信モジュールは、前記トランスポートブロックに関する確認応答または否定応答情報を前記無線アクセスネットワークデバイスに送信するようにさらに構成され、前記確認応答情報は、前記端末デバイスが前記トランスポートブロック内の前記符号化ブロックの全てを正しく受信したことを示すために使用される、端末デバイス。
【請求項２３】
前記受信モジュールは、前記無線アクセスネットワークデバイスによって送信された第1のスケジューリング情報を受信するようにさらに構成され、前記端末デバイスは、前記第1のスケジューリング情報に基づいて、前記部分符号化ブロックの送信情報を決定し、前記部分符号化ブロックの前記送信情報は、現在のHARQ送信が前記部分符号化ブロックの送信であるかどうかの情報、および/または、前記部分符号化ブロックのインデックスを含む、請求項22に記載の端末デバイス。
【請求項２４】
前記第1のスケジューリング情報は、前記部分符号化ブロックをスケジュールするために使用される制御情報において搬送される、請求項23に記載の端末デバイス。
【請求項２５】
前記部分符号化ブロックは影響を受ける符号化ブロックを含む、請求項22乃至24のいずれか1項に記載の端末デバイス。
【請求項２６】
前記制御情報は、前記影響を受ける符号化ブロックの指示情報をさらに含む、請求項23乃至25のいずれか1項に記載の端末デバイス。
【請求項２７】
前記影響を受ける符号化ブロックの前記指示情報は、前記影響を受ける符号化ブロックが存在するかどうかに関する情報を含む、請求項26に記載の端末デバイス。
【請求項２８】
前記端末デバイスが前記トランスポートブロックを受信するときに使用されるHARQプロセス番号、前記端末デバイスが前記無線アクセスネットワークデバイスによって送信された前記トランスポートブロックを受信するときに使用されるHARQプロセス番号は、前記無線アクセスネットワークデバイスが前記トランスポートブロック内の前記部分符号化ブロックを前記端末デバイスに送信するときに使用されるHARQプロセス番号と同じである、請求項22乃至27のいずれか1項に記載の端末デバイス。
【請求項２９】
プログラムが記録されているコンピュータ可読記憶媒体であって、前記プログラムは請求項1乃至14のいずれか1項に記載の前記方法をコンピュータに実行させる、コンピュータ可読記憶媒体。
【請求項３０】
プロセッサと、
非一時的メモリとを含むデバイスであって、前記メモリは実行命令を記憶し、前記プロセッサが前記実行命令を実行すると、前記実行命令は前記デバイスが請求項1乃至14のいずれか1項に記載の前記方法を実行することを可能にする、デバイス。
【手続補正２】
【補正対象書類名】明細書
【補正対象項目名】０１１７
【補正方法】変更
【補正の内容】
【０１１７】
本実施形態におけるシーケンスは、時間シーケンス、周波数シーケンスまたは論理シーケンスであってよい。時間シーケンスについては、トランスポートブロックに含まれる複数の符号化ブロックは、リソースマッピング中に周波数-時間シーケンスにおいてマッピングされてよく、その結果、複数の符号化ブロックのリソースは時間シーケンスでマッピングされる。例えば、符号化ブロック1は、時間領域シンボル1および2にマッピングされ、符号化ブロック2は、時間領域シンボル3および4にマッピングされる。周波数-時間マッピング方式は単なる例であり、複数の符号化ブロックのリソースが時間シーケンスでマッピングされる解決手段を反映できるものである限り、他のマッピング方式が除外されないことは留意されるべきである。周波数シーケンスについては、トランスポートブロックに含まれる複数の符号化ブロックは、リソースマッピング中に時間-周波数シーケンスでマッピングされてよく、その結果、複数の符号化ブロックのリソースは周波数シーケンスでマッピングされる。例えば、符号化ブロック1は、周波数領域サブキャリア1から12にマッピングされ、符号化ブロック2は、周波数領域サブキャリア13から24にマッピングされる。時間-周波数マッピング方式は単なる例であり、同様の周波数シーケンスを達成できる限りは他の解決手段が除外されないことは同様に留意されるべきである。論理シーケンスについては、複数の符号化ブロックは、リソースマッピングの前に論理的に順序付けされることができるが、論理的順序付けはリソースマッピング中に変更され得る。具体的には、物理リソースマッピングは、論理的順序付けと物理リソースマッピングとの間の事前に設定された対応関係に基づいて実行される。
【手続補正３】
【補正対象書類名】図面
【補正対象項目名】図４
【補正方法】変更
【補正の内容】
【図４】
2019535190.tif 000022
【手続補正４】
【補正対象書類名】図面
【補正対象項目名】図１２
【補正方法】変更
【補正の内容】
【図１２】
2019535190.tif 000023
【国際調査報告】
2019535190.tif 000024
2019535190.tif 000025
2019535190.tif 000026
2019535190.tif 000027